(57)【要約】【課題】一次光源の光利用効率に優れた高輝度特性を損なうことなく、視野角特性および画像品位に優れた光源装置を提供する。【解決手段】光を入射する入光面とその反対側に位置し入射した光を出射する出光面とを有しており、前記入光面には２つのプリズム面から構成されるプリズム列が互いに略並列に複数配列され、該プリズム列の少なくとも一方のプリズム面が少なくとも２つの傾斜角の異なる平面からなり、前記出光面に近い側に位置する平面ほどその傾斜角が大きく、前記出光面に最も近い平面の傾斜角と前記出光面から最も遠い平面の傾斜角の差が１５度以下である光偏向素子。【選択図】　図１
2004046076.tif 000002
【特許請求の範囲】
【請求項１】
光を入射する入光面とその反対側に位置し入射した光を出射する出光面とを有しており、前記入光面には２つのプリズム面から構成されるプリズム列が互いに略並列に複数配列され、該プリズム列の少なくとも一方のプリズム面が少なくとも２つの傾斜角の異なる平面からなり、前記出光面に近い側に位置する平面ほどその傾斜角が大きく、前記出光面に最も近い平面の傾斜角と前記出光面から最も遠い平面の傾斜角の差が１５度以下であることを特徴とする光偏向素子。
【請求項２】
光を入射する入光面とその反対側に位置し入射した光を出射する出光面とを有しており、前記入光面には２つのプリズム面から構成されるプリズム列が互いに略並列に複数配列され、該プリズム列の少なくとも一方のプリズム面が少なくとも３つの傾斜角の異なる平面からなり、前記出光面に近い側に位置する平面ほどその傾斜角が大きいことを特徴とする光偏向素子。
【請求項３】
光を入射する入光面とその反対側に位置し入射した光を出射する出光面とを有しており、前記入光面には２つのプリズム面から構成されるプリズム列が互いに略並列に複数配列され、該プリズム列の少なくとも一方のプリズム面が少なくとも２つの傾斜角の異なる凸曲面からなり、前記出光面に近い側に位置する凸曲面ほどその傾斜角が大きいことを特徴とする光偏向素子。
【請求項４】
光を入射する入光面とその反対側に位置し入射した光を出射する出光面とを有しており、前記入光面には２つのプリズム面から構成されるプリズム列が互いに略並列に複数配列され、該プリズム列の少なくとも一方のプリズム面が少なくとも２つの傾斜角の異なる平面と少なくとも１つの凸曲面からなり、前記出光面に近い側に位置する平面または凸曲面ほどその傾斜角が大きいことを特徴とする光偏向素子。
【請求項５】
前記出光面に最も近い平面または凸曲面の傾斜角と前記出光面から最も遠い平面または凸曲面の傾斜角の差が１５度以下であることを特徴とする請求項２〜４のいずれかに記載の光偏向素子。
【請求項６】
前記凸曲面の形状がそれぞれ異なることを特徴とする請求項３に記載の光偏向素子。
【請求項７】
前記凸曲面の曲率半径（ｒ）とプリズム列のピッチ（Ｐ）の比（ｒ／Ｐ）が２〜５０であることを特徴とする請求項３〜６のいずれかに記載の光偏向素子。
【請求項８】
前記凸曲面の少なくとも１つが非球面形状であることを特徴とする請求項３〜７のいずれかに記載の光偏向素子。
【請求項９】
前記平面および／または凸曲面が、プリズム頂部からの高さｈの領域に少なくとも２つ形成され、プリズム列の高さをＨとしたときｈ／Ｈが６０％以下であることを特徴とする請求項１〜８のいずれかに記載の光偏向素子。
【請求項１０】
前記平面および／または凸曲面とプリズム頂部とプリズム低部とを結ぶ仮想平面との最大距離（ｄ）のプリズム列のピッチ（Ｐ）に対する割合（ｄ／Ｐ）が０．４〜５％であることを特徴とする請求項１〜９のいずれかに記載の光偏向素子。
【請求項１１】
前記プリズム列の頂角の一方の振り分け角αが４０度以下であり、他方の振り分け角βが２５〜５０度であることを特徴とする請求項１〜１０のいずれかに記載の光偏向素子。
【請求項１２】
前記２つのプリズム面の振り分け角α、βの差の絶対値（｜α−β｜）が０．５〜１０度であることを特徴とする請求項１〜１１のいずれかに記載の光偏向素子。
【請求項１３】
前記プリズム列を構成する一方の振り分け角αが２０度以下であることを特徴とする請求項項１〜１１のいずれかに記載の光偏向素子。
【請求項１４】
前記プリズム列を構成する一方のプリズム面が前記平面および／または凸曲面から構成され、他方のプリズム面が略平面であることを特徴とする請求項１〜１３のいずれかに記載の光偏向素子。
【請求項１５】
一次光源と、該一次光源から発せられる光を入射する光入射面及び入射した光を導光して出射する光出射面を有する導光体と、該導光体の光出射面側に隣接配置した請求項１〜１４のいずれかに記載の光偏向素子からなることを特徴とする光源装置。
【請求項１６】
前記光偏向素子の出光面上に、平行光を入射したときの出射光光度分布の半値全幅が１〜１３度である光拡散素子を隣接配置したことを特徴とする請求項１５に記載の光源装置。
【請求項１７】
前記光偏向素子の出光面上に、ヘイズ値が８〜８２％である光拡散素子を隣接配置したことを特徴とする請求項１５または１６に記載の光源装置。
【発明の詳細な説明】
【０００１】
【発明の属する技術分野】
本発明は、ノートパソコン、液晶テレビ、携帯電話、携帯情報端末等において表示部として使用される液晶表示装置等を構成するエッジライト方式の光源装置およびそれに使用される光偏向素子に関するものであり、特に導光体の光出射面側に配置される光偏向素子の改良に関するものである。
【０００２】
【従来の技術】
近年、カラー液晶表示装置は、携帯用ノートパソコンやパソコン等のモニターとして、あるいは液晶テレビやビデオ一体型液晶テレビ、携帯電話、携帯情報端末等の表示部として、種々の分野で広く使用されてきている。また、情報処理量の増大化、ニーズの多様化、マルチメディア対応等に伴って、液晶表示装置の大画面化、高精細化が盛んに進められている。
【０００３】
液晶表示装置は、基本的にバックライト部と液晶表示素子部とから構成されている。バックライト部としては、液晶表示素子部の直下に光源を配置した直下方式のものや導光体の側端面に対向するように光源を配置したエッジライト方式のものがあり、液晶表示装置のコンパクト化の観点からエッジライト方式が多用されている。
【０００４】
ところで、近年、比較的小さな画面寸法の表示装置であって観察方向範囲の比較的狭い例えば携帯電話機の表示部として使用される液晶表示装置等では、消費電力の低減の観点から、エッジライト方式のバックライト部として、一次光源から発せられる光量を有効に利用するために、画面から出射する光束の広がり角度をできるだけ小さくして所要の角度範囲に集中して光を出射させるものが利用されてきている。
【０００５】
このように観察方向範囲が限定される表示装置であって、一次光源の光量の利用効率を高め消費電力を低減するために比較的狭い範囲に集中して光出射を行う光源装置として、本出願人は、特開２００１−１４３５１５号公報（特許文献１）において、導光体の光出射面に隣接して両面にプリズム形成面を有するプリズムシートを使用することを提案している。この両面プリズムシートでは、一方の面である入光面及び他方の面である出光面のそれぞれに、互いに平行な複数のプリズム列が形成されており、入光面と出光面とでプリズム列方向を合致させ且つプリズム列どうしを対応位置に配置している。これにより、導光体の光出射面から該光出射面に対して傾斜した方向に出射光のピークを持ち適宜の角度範囲に分布して出射する光を、プリズムシートの入光面の一方のプリズム面から入射させ他方のプリズム面で内面反射させ、更に出光面のプリズムでの屈折作用を受けさせて、比較的狭い所要方向へ光を集中出射させる。
【０００６】
【特許文献１】
特開２００１−１４３５１５号公報
【０００７】
【発明が解決しようとする課題】
しかし、このような光源装置によれば、狭い角度範囲の集中出射が可能であるが、光偏向素子として使用されるプリズムシートとして両面に互いに平行な複数のプリズム列を、入光面と出光面とでプリズム列方向を合致させ且つプリズム列どうしを対応位置に配置することが必要であり、この成形が複雑になる。
【０００８】
そこで、本発明の目的は、出射光の分布が非常に狭くコントロールされ、一次光源の光量の利用効率の向上が可能となり（即ち、一次光源から発せられる光を所要の観察方向へ集中して出射させる効率が高くなり）、しかも簡素化された構成で画像品位の向上が容易な光偏向素子および光源装置を提供することにある。
【０００９】
【課題を解決するための手段】
すなわち、本発明の光偏向素子は、光を入射する入光面とその反対側に位置し入射した光を出射する出光面とを有しており、前記入光面には２つのプリズム面から構成されるプリズム列が互いに略並列に複数配列され、該プリズム列の少なくとも一方のプリズム面が少なくとも２つの傾斜角の異なる平面からなり、前記出光面に近い側に位置する平面ほどその傾斜角が大きく、前記出光面に最も近い平面の傾斜角と前記出光面から最も遠い平面の傾斜角の差が１５度以下であることを特徴とするものである。
【００１０】
また、本発明の光偏向素子は、光を入射する入光面とその反対側に位置し入射した光を出射する出光面とを有しており、前記入光面には２つのプリズム面から構成されるプリズム列が互いに略並列に複数配列され、該プリズム列の少なくとも一方のプリズム面が少なくとも３つの傾斜角の異なる平面からなり、前記出光面に近い側に位置する平面ほどその傾斜角が大きいことを特徴とするものである。
【００１１】
また、本発明の光偏向素子は、光を入射する入光面とその反対側に位置し入射した光を出射する出光面とを有しており、前記入光面には２つのプリズム面から構成されるプリズム列が互いに略並列に複数配列され、該プリズム列の少なくとも一方のプリズム面が少なくとも２つの傾斜角の異なる凸曲面からなり、前記出光面に近い側に位置する凸曲面ほどその傾斜角が大きいことを特徴とするものである。
【００１２】
また、本発明の光偏向素子は、光を入射する入光面とその反対側に位置し入射した光を出射する出光面とを有しており、前記入光面には２つのプリズム面から構成されるプリズム列が互いに略並列に複数配列され、該プリズム列の少なくとも一方のプリズム面が少なくとも２つの傾斜角の異なる平面と少なくとの１つの凸曲面からなり、前記出光面に近い側に位置する平面または凸曲面ほどその傾斜角が大きいことを特徴とするものである。
【００１３】
さらに、本発明の光源装置は、一次光源と、該一次光源から発せられる光を入射する光入射面及び入射した光を導光して出射する光出射面を有する導光体と、該導光体の光出射面側に隣接配置した上記のような光偏向素子からなることを特徴とするものである。
【００１４】
【発明の実施の形態】
以下、図面を参照しながら、本発明の実施の形態を説明する。
図１は、本発明による面光源装置の一つの実施形態を示す模式的斜視図である。図１に示されているように、本発明の面光源装置は、少なくとも一つの側端面を光入射面３１とし、これと略直交する一つの表面を光出射面３３とする導光体３と、この導光体３の光入射面３１に対向して配置され光源リフレクタ２で覆われた一次光源１と、導光体３の光出射面上に配置された光偏向素子４と、導光体３の光出射面３３の裏面３４に対向して配置された光反射素子５とから構成される。
【００１５】
導光体３は、ＸＹ面と平行に配置されており、全体として矩形板状をなしている。導光体３は４つの側端面を有しており、そのうちＹＺ面と平行な１対の側端面のうちの少なくとも一つの側端面を光入射面３１とする。光入射面３１は光源１と対向して配置されており、光源１から発せられた光は光入射面３１から導光体３内へと入射する。本発明においては、例えば、光入射面３１と対向する側端面３２等の他の側端面にも光源を配置してもよい。
【００１６】
導光体３の光入射面３１に略直交した２つの主面は、それぞれＸＹ面と略平行に位置しており、いずれか一方の面（図では上面）が光出射面３３となる。この光出射面３３またはその裏面３４のうちの少なくとも一方の面に粗面からなる指向性光出射機能部や、プリズム列、レンチキュラーレンズ列、Ｖ字状溝等の多数のレンズ列を光入射面３１と略平行に形成したレンズ面からなる指向性光出射機能部などを付与することによって、光入射面３１から入射した光を導光体３中を導光させながら光出射面３３から光入射面３１および光出射面３３に直交する面（ＸＺ面）内の出射光光度分布において指向性のある光を出射させる。このＸＺ面内における出射光光度分布のピークの方向が光出射面３３となす角度をａとすると、この角度ａは１０〜４０度とすることが好ましく、出射光光度分布の半値全幅は１０〜４０度とすることが好ましい。
【００１７】
導光体３の表面に形成する粗面やレンズ列は、ＩＳＯ４２８７／１−１９８４による平均傾斜角θａが０．５〜１５度の範囲のものとすることが、光出射面３３内での輝度の均斉度を図る点から好ましい。平均傾斜角θａは、さらに好ましくは１〜１２度の範囲であり、より好ましくは１．５〜１１度の範囲である。この平均傾斜角θａは、導光体３の厚さ（ｔ）と入射光が伝搬する方向の長さ（Ｌ）との比（Ｌ／ｔ）によって最適範囲が設定されることが好ましい。すなわち、導光体３としてＬ／ｔが２０〜２００程度のものを使用する場合は、平均傾斜角θａを０．５〜７．５度とすることが好ましく、さらに好ましくは１〜５度の範囲であり、より好ましくは１．５〜４度の範囲である。また、導光体３としてＬ／ｔが２０以下程度のものを使用する場合は、平均傾斜角θａを７〜１２度とすることが好ましく、さらに好ましくは８〜１１度の範囲である。
【００１８】
導光体３に形成される粗面の平均傾斜角θａは、ＩＳＯ４２８７／１−１９８４に従って、触針式表面粗さ計を用いて粗面形状を測定し、測定方向の座標をｘとして、得られた傾斜関数ｆ（ｘ）から次の（１）式および（２）式を用いて求めることができる。ここで、Ｌは測定長さであり、Δａは平均傾斜角θａの正接である。
【００１９】
【数１】
2004046076.tif 000003
さらに、導光体３としては、その光出射率が０．５〜５％の範囲にあるものが好ましく、より好ましくは１〜３％の範囲である。これは、光出射率が０．５％より小さくなると導光体３から出射する光量が少なくなり十分な輝度が得られなくなる傾向にあり、光出射率が５％より大きくなると光源１近傍で多量の光が出射して、光出射面３３内でのＸ方向における光の減衰が著しくなり、光出射面３３での輝度の均斉度が低下する傾向にあるためである。このように導光体３の光出射率を０．５〜５％とすることにより、光出射面から出射する光の出射光光度分布（ＸＺ面内）におけるピーク光の角度（ピーク角度）が光出射面の法線に対し５０〜９０度の範囲にあり、出射光光度分布（ＸＺ面内）の半値全幅が１０〜４０度であるような指向性の高い出射特性の光を導光体３から出射させることができ、その出射方向を光偏向素子４で効率的に偏向させることができ、高い輝度を有する面光源素子を提供することができる。
【００２０】
本発明において、導光体３からの光出射率は次のように定義される。光出射面３３の光入射面３１側の端縁での出射光の光強度（Ｉ０　）と光入射面３１側の端縁から距離Ｌの位置での出射光強度（Ｉ）との関係は、導光体３の厚さ（Ｚ方向寸法）をｔとすると、次の（３）式のような関係を満足する。
【００２１】
【数２】
2004046076.tif 000004
ここで、定数Ａが光出射率であり、光出射面３３における光入射面３１と直交するＸ方向での単位長さ（導光体厚さｔに相当する長さ）当たりの導光体３から光が出射する割合（％）である。この光出射率Ａは、縦軸に光出射面２３からの出射光の光強度の対数と横軸に（Ｌ／ｔ）をプロットすることで、その勾配から求めることができる。
【００２２】
また、指向性光出射機能部が付与されていない他の主面には、導光体３からの出射光の光源１と平行な面（ＹＺ面）での指向性を制御するために、光入射面３１に対して略垂直の方向（Ｘ方向）に延びる多数のレンズ列を配列したレンズ面を形成することが好ましい。図１に示した実施形態においては、光出射面３３に粗面を形成し、裏面３４に光入射面３１に対して略垂直方向（Ｘ方向）に延びる多数のレンズ列の配列からなるレンズ面を形成している。本発明においては、図１に示した形態とは逆に、光出射面３３にレンズ面を形成し、裏面３４を粗面とするものであってもよい。
【００２３】
図１に示したように、導光体３の裏面３４あるいは光出射面３３にレンズ列を形成する場合、そのレンズ列としては略Ｘ方向に延びたプリズム列、レンチキュラーレンズ列、Ｖ字状溝等が挙げられるが、ＹＺ方向の断面の形状が略三角形状のプリズム列とすることが好ましい。
【００２４】
本発明において、導光体３に形成されるレンズ列としてプリズム列を形成する場合には、その頂角を７０〜１５０度の範囲とすることが好ましい。これは、頂角をこの範囲とすることによって導光体３からの出射光を十分集光さることができ、面光源素子としての輝度の十分な向上を図ることができるためである。すなわち、プリズム頂角をこの範囲内とすることによって、出射光光度分布（ＸＺ面内）におけるピーク光を含みＸＺ面に垂直な面において出射光光度分布の半値全幅が３５〜６５度である集光された出射光を出射させることができ、面光源素子としての輝度を向上させることができる。なお、プリズム列を光出射面３３に形成する場合には、頂角は８０〜１００度の範囲とすることが好ましく、プリズム列を裏面３４に形成する場合には、頂角は７０〜８０度または１００〜１５０度の範囲とすることが好ましい。
【００２５】
なお、本発明では、上記のような光出射面３３またはその裏面３４に光出射機能部を形成する代わりにあるいはこれと併用して、導光体内部に光拡散性微粒子を混入分散することで指向性光出射機能を付与したものでもよい。また、導光体３としては、図１に示したような断面形状に限定されるものではなく、くさび状、船型状等の種々の断面形状のものが使用できる。
【００２６】
図２は、光偏向素子４のプリズム列の形状の説明図であり、光偏向素子４は主表面の一方を入光面４１とし他方の面を出光面４２とする。入光面４１には多数のプリズム列が略並列に配列され、各プリズム列は光源側に位置する第１のプリズム面４４と光源から遠い側に位置する第２のプリズム面４５の２つのプリズム面から構成されている。図２に示した実施形態においては、第１のプリズム面４４が平面であり、第２のプリズム面４５が３つの傾斜角の異なる平面４６〜４８から構成され、出光面に近い平面ほど傾斜角が大きくなっている。また、平面４６〜４８のうち、最も出光面に近い平面４８と最も出光面から遠い平面４６との傾斜角の差が１５度以下となっている。なお、本発明において、平面の傾斜角とはプリズム列形成平面４３に対する各平面の傾斜角度をいう。
【００２７】
本発明の光偏向素子４は、第２のプリズム面４５を傾斜角の異なる少なくとも２つの平面より構成し、これら平面の傾斜角が出光面に近いほど大きくなり、最も出光面に近い平面と最も出光面から遠い平面との傾斜角の差を１５度以下とすることにより、極めて高い集光効果を発揮させることができ、光源装置として極めて高い輝度を得ることができる。この最も出光面に近い平面と最も出光面から遠い平面との傾斜角の差は、好ましくは０．５〜１０度の範囲であり、より好ましくは１〜７度の範囲である。なお、傾斜角の異なる平面を３つ以上形成する場合には、この傾斜角の差は上記範囲とすることが好ましいが、特にこの範囲に限定されるものではない。また、第２のプリズム面４５をこのような構造にすることにより、所望の集光性を有する偏向素子を容易に設計することもできるとともに、一定の光学特性を有する光偏向素子を安定して製造することもできる。
【００２８】
次に、本発明の光偏向素子のプリズム面の形状について説明する。図３〜１４は、２つのプリズム面がともに平面であり、プリズム頂角が６５．４度である従来の光偏向素子により導光体からの出射光光度分布（ＸＺ面内）のピーク角度が２０度である光が、導光体の光入射面および光出射面の両方の面に対して垂直な平面において、どのような出射光輝度分布（ＸＺ面内）で光偏向素子から出射するかを示したものである。図３〜１２は、第１プリズム面より入射した入射光が第２のプリズム面によって全反射され出光面４２から出射される状態を、第２プリズム面をｘ方向に１０個のエリアに均等に分割し、それぞれのエリアからの出射光輝度分布（ＸＺ面内）を示したものである。１０個のエリアは、プリズム頂部に近い方から順にＰａｒｔ１、Ｐａｒｔ２、・・・Ｐａｒｔ１０とした。第２プリズム面で全反射され出射する全体の光の出射光輝度分布（ＸＺ面内）においては、図１３に示すように、そのピ−ク光は法線方向に出射され、２２度の半値全幅を有している。
【００２９】
しかし、これらをＰａｒｔ１〜Ｐａｒｔ１０の各エリアにおける出射光輝度分布（ＸＺ面内）を見ると、そのピーク角度は、Ｐａｒｔ１およびＰａｒｔ２では約−９度（負の角度値は法線方向を０度として光源方向に傾いた場合を示す。）付近に出射し、Ｐａｒｔ３〜Ｐａｒｔ７では０度方向（法線方向）にピ−ク光がシフトし、さらにＰａｒｔ８〜Ｐａｒｔ１０ではピ−ク光は順に正の角度方向にシフトしているのがわかる。最も出光面４２に近いエリア（Ｐａｒｔ１０）で全反射され出射するピーク角度は７度であり、第２のプリズム面（Ｐａｒｔ１〜Ｐａｒｔ１０の間）ではピーク角度に１６度の広がりがある。また、各エリアからのピ−ク光の強度は、Ｐａｒｔ１からＰａｒｔ１０へと徐々に小さくなっている。
【００３０】
このように、一つの平面からなるプリズム面で全反射され出射した光は、プリズム面の全反射するエリアに依存してかなり広い範囲で分散していることがわかる。この各エリアからの出射光輝度分布（ＸＺ面内）におけるピ−ク光を、各エリアのプリズム面の傾斜角をそれぞれ調整し、すべてのエリアでピーク角度を略同方向に出射させることによって、大部分の出射光を特定方向に集中して出射させることが可能となる。このとき、各エリアにおけるプリズム面の傾斜角は、Ｐａｒｔ１からＰａｒｔ１０の順に、すなわち出光面４２に近いエリアのプリズム面ほど傾斜角を大きくするようにする。このように、各エリアのプリズム面の傾斜角を図１４に示したように調整することで、プリズム面全体で全反射される出射光を一定の方向に集光させることができ、より指向性が高く、ピ−ク強度の大きな光を出射することができる。
【００３１】
プリズム面を分割した各エリアの設定は、少なくとも２つのエリアを設定すればよいが、このエリア数（傾斜角の異なる平面の数）が少なすぎると、光偏向素子による集光性が低下し、輝度向上効果が損なわれる傾向にあるため、３つ以上とすることが好ましく、より好ましくは５つ以上、さらに好ましくは６つ以上である。なお、エリア数を２つにする場合には、集光特性の低下をある程度抑止できるためには、２つの平面の傾斜角の差を１５度以下とすることが必要であり、好ましくは０．５〜１０度の範囲、より好ましくは１〜７度の範囲である。エリア数が３つ以上の場合であっても、出光面に最も近い平面の傾斜角と出光面から最も遠い平面の傾斜角の差を１５度以下とすることが集光特性の点から好ましく、より好ましくは０．５〜１０度、さらに好ましくは１〜７度の範囲である。
【００３２】
一方、このエリア数を多くすと、プリズム面で全面にわたってピーク角度を細かく調整することができるため、全体としての集中度を高めることができるが、傾斜角の異なる平面を細かく形成しなければならず、光偏向素子のプリズム面を形成するための金型切削用のバイトの設計や製造が複雑となるとともに、一定の光学特性を有する光偏向素子を安定して得ることも難しくなる。このため、プリズム面に形成するエリア数は２０以下とすることが好ましく、より好ましくは１２以下である。このプリズム面の分割は均等に分割することが好ましいが、必ずしも均等に分割する必要はなく、所望のプリズム面全体の出射光輝度分布（ＸＺ面内）に応じて調整することができる。また、異なる傾斜角を有する各平面の幅（プリズム列断面における各平面部分の長さ）は、プリズム列のピッチに対して４〜４７％の範囲とすることが好ましく、より好ましくは６〜３０％、さらに好ましくは７〜２０％の範囲である。
【００３３】
本発明においては、例えば、図１５および図１６に示したように、上記のような異なる傾斜角を有する平面の少なくとも１つを凸曲面とすることもでき、全ての平面を凸曲面としてもよい。図１５では、第２のプリズム面４５を、４つのエリアに分割し、３つの平面４９〜５１と１つの凸曲面５２から構成している。図１６では、第２のプリズム面４５を２つのエリアに分割し、形状の異なる２つの凸曲面５３、５４から構成している。図中、５５、５６は、２つの曲面５３、５４の形状を決定する非球面形状である。また、第２のプリズム面４５を分割した各エリアの境界を通るような曲面で構成することもでき、この場合、輝度の大幅な低下を招かない範囲であれば曲面は各アリアの境界から多少ずれてもよい。例えば、曲面の通過位置（プリズム頂部からの距離）のプリズム列のピッチに対する割合のエリアの境界の割合に対するずれが４％以下であればよく、より好ましくは２％以下、さらに好ましくは１％以下の範囲である。なお、本発明において、凸曲面における傾斜角は、１つの凸曲面の全ての位置における傾斜角を平均したものをいう。このように、プリズム面を異なる傾斜角の複数の凸曲面で構成した場合には、異なる傾斜角の平面により構成する場合と比較して、エリア数は少なくすることができ、２〜１０のエリア数とすることができ、好ましくは２〜８の範囲である。しかし、エリア数が少なすぎると所望の出射光輝度分布（ＸＺ面内）を調整するための各凸曲面の設計が困難となるため、エリア数は３〜８の範囲とすることがより好ましい。
【００３４】
また、凸曲面の形状は、そのＸＺ方向の断面形状が球面あるいは非球面とすることができる。さらに、複数の凸曲面によりプリズム面を構成する場合には、各凸曲面の形状が異なることが好ましく、球面形状の凸曲面と非球面形状の凸曲面とを組み合わせることもできるが、少なくとも１つの凸曲面を非球面形状とすることが好ましい。複数の凸曲面を球面形状とする場合には、各凸曲面でその曲率を変えたものであってもよい。非球面形状としては、楕円形状の一部、放物線形状の一部等が挙げられる。
【００３５】
さらに、凸曲面は、その曲率半径（ｒ）をプリズム列のピッチ（Ｐ）との比（ｒ／Ｐ）が２〜５０の範囲とすることが好ましく、より好ましくは５〜３０、さらに好ましくは７〜１０の範囲である。このｒ／Ｐが２未満であったり、５０を超えると、十分な集光特性を発揮できなくなり、輝度が低下する傾向にある。
【００３６】
このような傾斜角の異なる平面および凸曲面は、各平面および凸曲面で全反射した光が出光面から出射した際の出射光輝度分布（ＸＺ面内）におけるピーク角度が略一定の角度になるように設計されるが、この各ピーク角度は必ずしも略一定の角度となるようにする必要はなく、全てのピーク角度が１５度以内の範囲内となるような範囲で設計することができ、好ましくは１０度以下、より好ましくは７度以下、さらに好ましくは５度以下の範囲である。
【００３７】
また、このような構成によるプリズム列においては、図３〜１２に示したように、Ｐａｒｔ１〜Ｐａｒｔ５のエリアで全反射され出光面から出射した光の出射光輝度分布（ＸＺ面内）における強度は、プリズム面全体で全反射され出光面から出射した光の出射光輝度分布（ＸＺ面内）における強度の７５％以上を占めることになるため、これらエリアで全反射され出射される出射光を所望の方向へ集光させることが特に重要となる。このため、プリズム列のプリズム頂部からの高さをｈ、プリズム列全体の高さをＨとした場合に、少なくともｈ／Ｈが６０％以下となる高さｈの領域に傾斜角の異なる平面あるいは凸曲面を少なくとも２つ形成することが好ましく、３つ以上形成することがより好ましい。高さｈの領域は、より好ましくはｈ／Ｈが５０％以下となる領域であり、さらに好ましくは４０％以下となる領域である。なお、高さｈの領域が小さくなりすぎると十分な集光特性が得られなくなる傾向になるとともに、金型の製造が複雑になることから、ｈ／Ｈは２０％以上であることが好ましい。この場合の高さｈの領域におけるエリア数は、３〜８の範囲とすることが好ましく、より好ましくは３〜６、さらに好ましくは３〜４の範囲である。
【００３８】
また、プリズム面が傾斜角の異なる複数の平面あるいは凸曲面より構成されるとき、十分な集光特性を確保するためには、プリズム列の頂部と低部とを結ぶ仮想平面Ｑ（図２、１５、１６）と複数の平面あるいは凸曲面（実際のプリズム面）との最大距離ｄがプリズム列のピッチ（Ｐ）に対する割合（ｄ／Ｐ）で０．４〜５％とすることが好ましい。これは、ｄ／Ｐが０．４％未満あるいは５％を超えると、集光特性が低下する傾向にあり、十分な輝度向上を図れなくなる傾向にあるためであり、より好ましくは０．４〜３％の範囲であり、さらに好ましくは０．７〜２．２％の範囲である。
【００３９】
本発明において、プリズム列の頂角は集光特性や光の利用効率を考えると、３５〜８０度とすることが好ましく、より好ましくは３５〜７０度の範囲であり、さらに好ましくは４０〜７０度の範囲である。また、プリズム頂角の法線に対する左右の振り分け角（２つのプリズム面の法線に対する傾斜角度）α、βは、同一でも異なってもよいが、略法線方向（法線方向を０度とした場合のＸＺ面内における±１０度の範囲をいう。）の輝度を効率よく高めようとする場合には、異なった角度に設定することが好ましい。この場合、光源側に位置する振り分け角αを４０度以下、βを２５〜５０度の範囲とすることが好ましい。この頂角の振り分け角α、βは、その差がわずかにある場合が光利用効率が高くなり輝度をより向上させることができるため、振り分け角αを２５〜４０度、振り分け角βを２５〜４５度の範囲とし、振り分け角αとβの差の絶対値（Ｉα−βＩ）を０．５〜１０度とすることが好ましく、より好ましくは１〜１０度、さらに好ましくは１〜８度の範囲である。なお、出射光輝度分布（ＸＺ面内）におけるピ−ク光を略法線方向以外とする場合は、プリズム頂角の振り分け角α、βを調整することによって、所望の方向にピーク光を有する出射光輝度分布（ＸＺ面内）を得ることができる。
【００４０】
また、振り分け角αを２０度以下とすることによっても光利用効率を高くでき輝度をより向上させることができる。この振り分け角αを小さくするほど光利用効率を高くすることができるが、振り分け角αを小さくしすぎるとプリズム列の頂角が小さくなる傾向にありプリズムシートの製造が困難となるため、振り分け角αは３〜１５度の範囲とすることが好ましく、より好ましくは５〜１０度の範囲である。この場合、出射光輝度分布（ＸＺ面内）におけるピ−ク光を法線方向から±２度の範囲とし法線輝度を向上させるためには、振り分け角βを３５〜４０度の範囲とすればよい。
【００４１】
このように振り分け角αを２０度以下とする場合には、プリズム列の断面形状においてプリズム頂部と谷部を結んだ２つの直線の長さの比（光源に近い側の直線の長さＬ１に対する光源から遠い側の直線の長さＬ２の比Ｌ２／Ｌ１）を１．１倍以上とすることが好ましい。これは、Ｌ２／Ｌ１を１．１倍以上とすることにより光源に近い側のプリズム面から入射した光を光源から遠い側のプリズム面で効率よく受光することができ、光利用効率を高くでき輝度をより向上させることができるためであり、より好ましくは１．１５倍以上であり、さらに好ましくは１．１７倍以上である。一方、Ｌ２／Ｌ１を大きくしすぎるとプリズム列の頂角が小さくなる傾向にありプリズムシートの製造が困難となるため、１．３倍以下とすることが好ましく、より好ましくは１．２５倍以下、さらに好ましくは１．２倍以下である。また、プリズム列のピッチＰに対する光源から遠い側の直線の長さＬ２の比（Ｌ２／Ｐ）を１．２５倍以上とすることが同様の理由から好ましく、より好ましくは１．３倍以上であり、さらに好ましくは１．４倍以上である。一方、このＬ２／Ｐを大きくしすぎるとプリズム列の頂角が小さくなる傾向にありプリズムシートの製造が困難となるため、１．８倍以下とすることが好ましく、より好ましくは１．６倍以下、さらに好ましくは１．５倍以下である。
【００４２】
また、本発明の光偏向素子は、図１７、１８に例示すように隣接するプリズム列の間にプリズム列の傾斜角よりも傾斜角の小さい凸形状や平面（光透過領域）を形成してもよい。このような光透過領域を形成することにより、液晶パネル側から入射した外光をこの部分から光源装置内に導入することができ、導光体の裏面に配置された反射シ−ト５により反射し、再び液晶パネル側に出射することにより、外光も有効に利用することができる。このとき、反射シート５により反射した外光の均一性を維持するため、反射シートに微弱な拡散性を付与したり、光偏向素子の出光面に光拡散層を形成したり、光偏向素子の出光面に光拡散シ−トを載置することが好ましい。また、外光の利用効率を高めると、バックライトとしての光の利用効率が低下するため、使用形態等を考慮して光透過領域の割合を決めることが必要である。例えば、光透過領域の幅は、プリズム列のピッチの２０〜５０％の範囲とすることが好ましく、より好ましくは２０〜４０％の範囲である。光透過領域としては、図１７に示したような平面形状５９、図１８に示したような曲面形状６０や多角形状等が挙げられる。中でも、光透過領域を多角形状や曲面とすることにより、外光の反射を制御することができるため好ましい。
【００４３】
本発明の光偏向素子においては、光を集光させて出射させる際に導光体からの出射光光度分布が強く反映されるため、光偏向素子の出光面からの出射光輝度分布（ＸＺ面内）は法線方向前後の角度において非対称な分布になる傾向がある。特に、第２プリズム面４５を１つの曲面で構成した場合には、導光体の光入射面側の出射光輝度分布（ＸＺ面内）が急激に低下し、法線方向から観察した場合に有効視野角範囲内において非対称性が強く視認される。本発明においては、プリズム面を傾斜角の異なる複数の平面あるいは凸曲面より構成することで、上記のような出射光輝度分布（ＸＺ面内）の非対称性を緩和することができる。すなわち、出射光輝度分布（ＸＺ面内）の非対称性は、図１９に示すように、光偏向素子から出射した出射光輝度分布（ＸＺ面内）のピーク角度と輝度がピーク光の輝度（ピーク輝度）の１／２となる角度の差の絶対値（広がり幅）ΔθａとΔθｂの差（｜Δθａ−Δθｂ｜）により定義することができる。従って、この｜Δθａ−Δθｂ｜が９度以下となるように、プリズム面を構成する平面あるいは凸曲面の傾斜角を調整することにより、出射光輝度分布（ＸＺ面内）の非対称性を緩和することができる。この｜Δθａ−Δθｂ｜は、より好ましくは６度以下、さらい好ましくは４度以下の範囲である。｜Δθａ−Δθｂ｜を９度以下とすることにより視認性はほぼ良好となり、４度以下とすることにより非対称性に起因する不快さはほとんど感じなくなる。
【００４４】
さらに、本発明の光偏向素子４においては、図２０に示したように、第１のプリズム面４４の平面が、プリズム列パターン形成の際に発生するそり等による形状の変化（プリズム列の頂部と底部を結ぶ平面からの変位）が起こる場合がある。しかし、このような平面の変位が大きい場合には、光偏向素子４の光学特性に影響を及ぼすことになり、微小な変位に抑えることが好ましい。すなわち、プリズム列の頂部と底部を結ぶ平面からのプリズム面の変位がプリズム列のピッチＰに対する前記平面との最大距離Ｓの割合（Ｓ／Ｐ）で０．００８以下であることが好ましく、さらに好ましくは０．００６５以下、より好ましくは０．００５以下の範囲である。このような略平面の変形は、プリズム列パターンを形成する際の重合収縮などの影響に主として起因するため、あらかじめ重合収縮による変形の程度を定量化しておき、それを相殺するように金型のプリズム列の形状を設計しておくことが好ましい。
【００４５】
本発明において、上記のような凸曲面形状部４６を有するプリズム面は、少なくとも一次光源１から遠い側の面（第２のプリズム面４５）に形成することが好ましい。これによれば、導光体３の端面３２にも一次光源を配置する場合の光偏向素子４から出射する光の出射光輝度分布（ＸＺ面内）における分布を十分に小さくすることができる。凸曲面形状部４６を有するプリズム面は、例えば、導光体３を伝搬する光が光入射面３１と反対側の端面３２で反射して戻ってくる割合が比較的高い場合、導光体３の対向する２つの端面にそれぞれ一次光源１を配置する場合には、一次光源１に近い側のプリズム面（第１のプリズム面４４）も同様の形状とすることがより好ましい。一方、導光体３を伝搬する光が光入射面３１と反対側の端面３２で反射して戻ってくる割合が比較的低い場合には、一次光源１に近い側のプリズム面を略平面としてもよい。また、本発明の光偏向素子４は、そのプリズム列の頂部のどちらかが略平面より構成されるのが好ましい。プリズム列形成のための成形用型部材の形状転写面形状のより正確な形成が可能になり、導光体３に光偏向素子４を載置した際のスティッキング現象の発生を抑止することができる。
【００４６】
このように、導光体３の光出射面３３上に上記のような光偏向素子４を、そのプリズム列形成面が入光面側となるように載置することによって、導光体３の光出射面３３から出射する指向性出射光の出射光光度分布（ＸＺ面内）をより狭くすることができ、光源装置としての高輝度化、狭視野化を図ることができる。このような光偏向素子４からの出射光の出射光輝度分布（ＸＺ面内）の半値全幅は、５〜２５度の範囲であることが好ましく、より好ましくは１０〜２０度の範囲であり、さらに好ましくは１２〜１８度の範囲である。これは、この出射光輝度分布（ＸＺ面内）の半値全幅を５度以上とすることによって極端な狭視野化による画像等の見づらさをなくすことができ、２５度以下とすることによって高輝度化と狭視野化を図ることができるためである。
【００４７】
本発明における光偏向素子４の狭視野化は、導光体３の光出射面３３からの出射光光度分布（ＸＺ面内）の広がりの程度（半値全幅）に影響されるため、光偏向素子４の出光面４２からの出射光輝度分布（ＸＺ面内）の半値全幅Ａの導光体３の光出射面３３からの出射光光度分布（ＸＺ面内）の半値全幅Ｂに対する割合も、導光体３からの出射光光度分布（ＸＺ面内）の半値全幅Ｂによって変わる。例えば、導光体３からの出射光光度分布（ＸＺ面内）の半値全幅Ｂが２６度未満の場合には、半値全幅Ａが半値全幅Ｂの３０〜９５％の範囲であることが好ましく、より好ましくは３０〜８０％の範囲であり、さらに好ましくは３０〜７０％の範囲である。また、導光体３からの出射光光度分布（ＸＺ面内）の半値全幅Ｂが２６度以上の場合には、半値全幅Ａが半値全幅Ｂの３０〜８０％の範囲であることが好ましく、より好ましくは３０〜７０％の範囲であり、さらに好ましくは３０〜６０％の範囲である。特に、導光体３からの出射光光度分布（ＸＺ面内）の半値全幅Ｂが２６〜３６度の場合には、半値全幅Ａが半値全幅Ｂの３０〜８０％の範囲であることが好ましく、より好ましくは３０〜７０％の範囲であり、さらに好ましくは３０〜６０％の範囲である。さらに、導光体３からの出射光光度分布（ＸＺ面内）の半値全幅Ｂが３６度を超える場合には、半値全幅Ａが半値全幅Ｂの３０〜７０％の範囲であることが好ましく、より好ましくは３０〜６０％の範囲であり、さらに好ましくは３０〜５０％の範囲である。
【００４８】
一般に導光板の出射効率を高めようとすると、導光体３からの出射光光度分布（ＸＺ面内）の半値全幅Ｂは大きくなり集光効率は低下するように思えるが、実際は上記のように狭視野化の効果は大きくなるため、狭視野化の効率および面光源装置としての光利用効率という点では出射光光度分布（ＸＺ面内）の半値全幅Ｂが２６度以上である導光体との組み合わせで光偏向素子を使用することが好ましく、より好ましくは半値全幅Ｂが３６度を超える導光体である。また、導光体３からの出射光光度分布（ＸＺ面内）の半値全幅が小さい場合には狭視野化の効果は小さくなるが、導光体３からの出射光光度分布（ＸＺ面内）の半値全幅が小さいものほど高輝度化を図ることができるため、高輝度化という点では出射光光度分布（ＸＺ面内）の半値全幅Ｂが２６度未満である導光体との組み合わせで光偏向素子を使用することが好ましい。
【００４９】
一次光源１はＹ方向に延在する線状の光源であり、該一次光源１としては例えば蛍光ランプや冷陰極管を用いることができる。なお、本発明においては、一次光源１としては線状光源に限定されるものではなく、ＬＥＤ光源、ハロゲンランプ、メタハロランプ等のような点光源を使用することもできる。特に、携帯電話機や携帯情報端末機等の比較的小さな画面寸法の表示装置に使用する場合には、ＬＥＤ等の小さな点光源を使用することが好ましい。また、一次光源１は、図１に示したように、導光体３の一方の側端面に設置する場合だけでなく、必要に応じて対向する他方の側端面にもさらに設置することもできる。
【００５０】
例えば、一次光源１としてＬＥＤ光源等の略点状光源を導光体３のコーナー等に配置して使用する場合には、導光体３に入射した光は光出射面３３と同一の平面内において一次光源１を略中心とした放射状に導光体３中を伝搬し、光出射面３３から出射する出射光も同様に一次光源１を中心とした放射状に出射する。このような放射状に出射する出射光を、その出射方向に関わらず効率よく所望の方向に偏向させるためには、光偏向素子４に形成するプリズム列を一次光源１を取り囲むように略弧状に略並列して配置することが好ましい。このように、プリズム列を一次光源１を取り囲むように略弧状に略並列して配置することにより、光出射面３３から放射状に出射する光の殆どが光偏向素子４のプリズム列に対して略垂直に入射するため、導光体３の光出射面３３の全領域で出射光を効率良く特定の方向に向けることができ、輝度の均一性を向上させることができる。光偏向素子４に形成する略弧状のプリズム列は、導光体３中を伝搬する光の分布に応じてその弧状の程度を選定し、光出射面３３から放射状に出射する光の殆どが光偏向素子４のプリズム列に対して略垂直に入射するようにすることが好ましい。具体的には、ＬＥＤ等の点状光源を略中心とした同心円状に円弧の半径が少しずつ大きくなるように略並列して配置されたものが挙げられ、プリズム列の半径の範囲は、面光源システムにおける点状光源の位置と、液晶表示エリアに相当する面光源の有効エリアとの位置関係や大きさによって決定される。
【００５１】
光源リフレクタ２は一次光源１の光をロスを少なく導光体３へ導くものである。材質としては、例えば表面に金属蒸着反射層有するプラスチックフィルムを用いることができる。図１に示されているように、光源リフレクタ２は、光反射素子５の端縁部外面から一次光源１の外面を経て光偏向素子４の出光面端縁部へと巻きつけられている。他方、光源リフレクタ２は、光偏向素子４を避けて、光反射素子５の端縁部外面から一次光源１の外面を経て導光体３の光出射面端縁部へと巻きつけることも可能である。
【００５２】
このような光源リフレクタ２と同様な反射部材を、導光体３の側端面３１以外の側端面に付することも可能である。光反射素子５としては、例えば表面に金属蒸着反射層を有するプラスチックシートを用いることができる。本発明においては、光反射素子５として反射シートに代えて、導光体３の裏面３４に金属蒸着等により形成された光反射層等とすることも可能である。
【００５３】
本発明の導光体３及び光偏向素子４は、光透過率の高い合成樹脂から構成することができる。このような合成樹脂としては、メタクリル樹脂、アクリル樹脂、ポリカーボネート系樹脂、ポリエステル系樹脂、塩化ビニル系樹脂が例示できる。特に、メタクリル樹脂が、光透過率の高さ、耐熱性、力学的特性、成形加工性に優れており、最適である。このようなメタクリル樹脂としては、メタクリル酸メチルを主成分とする樹脂であり、メタクリル酸メチルが８０重量％以上であるものが好ましい。導光体３及び光偏向素子４の粗面の表面構造やプリズム列等の表面構造を形成するに際しては、透明合成樹脂板を所望の表面構造を有する型部材を用いて熱プレスすることで形成してもよいし、スクリーン印刷、押出成形や射出成形等によって成形と同時に形状付与してもよい。また、熱あるいは光硬化性樹脂等を用いて構造面を形成することもできる。更に、ポリエステル系樹脂、アクリル系樹脂、ポリカーボネート系樹脂、塩化ビニル系樹脂、ポリメタクリルイミド系樹脂等からなる透明フィルムあるいはシート等の透明基材上に、活性エネルギー線硬化型樹脂からなる粗面構造またレンズ列配列構造を表面に形成してもよいし、このようなシートを接着、融着等の方法によって別個の透明基材上に接合一体化させてもよい。活性エネルギー線硬化型樹脂としては、多官能（メタ）アクリル化合物、ビニル化合物、（メタ）アクリル酸エステル類、アリル化合物、（メタ）アクリル酸の金属塩等を使用することができる。
【００５４】
以上のような一次光源１、光源リフレクタ２、導光体３、光偏向素子４および光反射素子５からなる面光源装置の発光面（光偏向素子４の出光面４２）上に、液晶表示素子を配置することにより液晶表示装置が構成される。液晶表示装置は、図１における上方から液晶表示素子を通して観察者により観察される。また、本発明においては、十分にコリメートされた狭い分布の光を面光源装置から液晶表示素子に入射させることができるため、液晶表示素子での階調反転等がなく明るさ、色相の均一性の良好な画像表示が得られるとともに、所望の方向に集中した光照射が得られ、この方向の照明に対する一次光源の発光光量の利用効率を高めることができる。
【００５５】
さらに、本発明においては、このように光偏向素子４によって狭視野化され高輝度化された光源装置において、輝度の低下をできる限り招くことなく、視野範囲を目的に応じて適度に制御するために、光偏向素子４の出光面上に光拡散素子６を隣接配置する。また、本発明においては、このように光拡散素子６を配置することによって、品位低下の原因となるぎらつきや輝度斑等を抑止し品位向上を図ることもできる。
【００５６】
光拡散素子６は、光偏向素子４の出光面側に光偏向素子４と一体化させてもよいし、光拡散素子６を個別に光偏向素子４の出光面側に載置してもよいが、個別に光拡散素子６を配置することが好ましい。個別に光拡散素子６を載置する場合には、光拡散素子６の光偏向素子４に隣接する側の面には、光偏向素子４とのスティッキングを防止するため、凹凸構造を付与することが好ましい。同様に、光拡散素子６の出射面においても、その上に配置される液晶表示素子との間でのスティッキングを考慮する必要があり、光拡散素子６の出射面にも凹凸構造を付与することが好ましい。この凹凸構造は、スティッキング防止の目的のみに付与する場合には、平均傾斜角が０．７度以上となるような構造とすることが好ましく、さらに好ましくは１度以上であり、より好ましくは１．５度以上である。
【００５７】
本発明においては、輝度特性、視認性および品位等のバランスを考慮して光偏向素子４からの出射光を適度に拡散させる光拡散特性を有する光拡散素子６を使用することが必要である。すなわち、光拡散素子６の光拡散性が低い場合には、視野角を十分に広げることが困難となり視認性を低下させるとともに、品位改善効果が十分でなくなる傾向にあり、逆に光拡散性が高すぎる場合には光偏向素子４による狭視野化の効果が損なわれるとともに、全光線透過率も低くなり輝度が低下する傾向にある。そこで、本発明の光拡散素子６においては、平行光を入射したときの出射光光度分布（ＸＺ面内）の半値全幅が１〜１３度の範囲であるものが使用される。光拡散素子６の半値全幅は、好ましくは３〜１１度の範囲、さらに好ましくは４〜８．５度の範囲である。なお、本発明において光拡散素子６の出射光光度分布（ＸＺ面内）の半値全幅とは、図２１に示すように、光拡散素子６に入射した平行光線が出射時にどの程度拡散して広がるかを示したもので、光拡散素子６を透過し拡散した光の出射光光度分布（ＸＺ面内）におけるピ−ク値に対する半値での広がり角の全幅の角度（ΔθＨ）をいう。
【００５８】
このような光拡散特性は、光拡散素子６中に光拡散剤を混入したり、光拡散素子６の少なくとも一方の表面に凹凸構造を付与することによって付与することができる。表面に形成する凹凸構造は、光拡散素子６の一方の表面に形成する場合と両方の表面に形成する場合とでは、その程度が異なる。光拡散素子６の一方の表面に凹凸構造を形成する場合には、その平均傾斜角を０．８〜１２度の範囲とすることが好ましく、さらに好ましくは３．５〜７度であり、より好ましくは４〜６．５度である。光拡散素子６の両方の表面に凹凸構造を形成する場合には、一方の表面に形成する凹凸構造の平均傾斜角を０．８〜６度の範囲とすることが好ましく、さらに好ましくは２〜４度であり、より好ましくは２．５〜４度である。この場合、光拡散素子６の全光線透過率の低下を抑止するためには、光拡散素子６の入射面側の平均傾斜角を出射面側の平均傾斜角よりも大きくすることが好ましい。また、光拡散素子６のヘイズ値としては８〜８２％の範囲とすることが、輝度特性向上と視認性改良の観点から好ましく、さらに好ましくは３０〜７０％の範囲であり、より好ましくは４０〜６５％の範囲である。
【００５９】
本発明の光源装置においては、その発光面（光拡散素子６の出射面）の法線方向から観察した場合の表示エリア内における輝度が均一であることも要求される。この輝度の均一性は光源の表示エリアの大きさにも依存し、例えば、ノートパソコンやモニター等の表示エリアが大きい大型の光源装置では、比較的広い視野角特性が要求される場合があり、発光面からの出射する出射光光度分布（ＸＺ面内）をより広くすることが要求される。一方、携帯電話や携帯情報端末等の表示エリアが小さい小型の光源装置では、高輝度や表示品位向上が優先される場合があり、発光面からの出射する出射光光度分布（ＸＺ面内）は比較的狭くてもよい。このため、光拡散素子６としては、光源装置の表示エリアの大きさに応じて適切な光拡散特性を有するものを使用することが好ましい。
【００６０】
このような光源装置の表示エリアの大きさに応じた光拡散素子６の光拡散特性について、説明する。なお、光源装置の表示エリアの大きさは、その展開長を基準として説明する。ここで、光源装置の展開長（導光体３の展開長）とは、図２２に示したように、線状の冷陰極光源が一次光源１として導光体３の光入射面に配置された場合、導光体３に入射した光が導光する方向、すなわち光入射面と垂直な方向における表示エリアの最長距離Ｌをいう。また、図２３に示したように、導光体３のコ−ナにＬＥＤ等の点光源が一次光源１として配置された場合、光点源から最も遠い有効表示エリアと点光源を結ぶ直線上の表示エリアの距離Ｌをいう。
【００６１】
（１）導光体３の展開長が８ｃｍ以下の場合
このような光源装置は、一次光源１として線状の冷陰極管（一灯型）やＬＥＤ等が使用され、携帯電話、携帯情報端末、デジタルカメラ等の表示エリアが小さい表示装置に使用されるため、視野角をさほど大きくする必要はなく、品位低下の原因となるぎらつきや輝度斑等を抑える程度の光拡散性を光拡散素子６により付与し、光利用効率を高め高輝度を維持するとともに、消費電力を低く抑えることが必要となる。このため、光拡散素子６としては、出射光光度分布（ＸＺ面内）の半値全幅が１〜６度の範囲であることが好ましく、さらに好ましくは１〜５度、より好ましくは２〜５度の範囲である。また、ヘイズ値としては、８〜６０％の範囲であることが好ましく、さらに好ましくは８〜５０％、より好ましくは２０〜５０％の範囲である。さらに、光拡散素子６の表面に凹凸構造を形成する場合には、その平均傾斜角が０．８〜５度の範囲であることが好ましく、さらに好ましくは０．８〜４度、より好ましくは２〜４度の範囲である。
【００６２】
（２）導光体３の展開長が８ｃｍを超え２３ｃｍ以下の場合（一次光源１として一灯型の冷陰極管を使用）
このような光源装置は、ノートパソコン、デスクトップ型パソコンのモニター、比較的小型の液晶テレビ等の表示装置に使用されるため、比較的広い視野角が必要であり、液晶表示装置の高解像度化に伴い品位の高い高輝度が必要となる。このため、光拡散素子６としては、出射光光度分布（ＸＺ面内）の半値全幅が３〜１１度の範囲であることが好ましく、さらに好ましくは４〜１０度、より好ましくは４〜９度の範囲である。また、ヘイズ値としては、３０〜８０％の範囲であることが好ましく、さらに好ましくは４０〜７３％、より好ましくは４５〜７０％の範囲である。さらに、光拡散素子６の表面に凹凸構造を形成する場合には、その平均傾斜角が３〜９．５度の範囲であることが好ましく、さらに好ましくは３．５〜８．５度、より好ましくは４．５〜７度の範囲である。
【００６３】
導光体３の展開長が８ｃｍを超え１８ｃｍ以下の場合には、比較的小型のノートパソコンの表示装置に使用されるため、必要な視野角はやや狭いものである。このため、光拡散素子６としては、出射光光度分布（ＸＺ面内）の半値全幅が３〜８度の範囲であることが好ましく、さらに好ましくは４〜８度、より好ましくは４〜７度の範囲である。また、ヘイズ値としては、３０〜７０％の範囲であることが好ましく、さらに好ましくは４０〜６５％、より好ましくは４５〜６０％の範囲である。さらに、光拡散素子６の表面に凹凸構造を形成する場合には、その平均傾斜角が３〜７度の範囲であることが好ましく、さらに好ましくは３．５〜６．５度、より好ましくは４．５〜６度の範囲である。
【００６４】
導光体３の展開長が１８ｃｍを超え２２ｃｍ以下の場合には、比較的大形のノートパソコンの表示装置に使用されるため、比較的広い視野角が必要であるとともに、表示エリア内での輝度の均一性を達成することが必要である。このため、光拡散素子６としては、出射光光度分布（ＸＺ面内）の半値全幅が４〜１０度の範囲であることが好ましく、さらに好ましくは５〜９度、より好ましくは５〜８．５度の範囲である。また、ヘイズ値としては、４０〜７５％の範囲であることが好ましく、さらに好ましくは５０〜７０％、より好ましくは５０〜６５％の範囲である。さらに、光拡散素子６の表面に凹凸構造を形成する場合には、その平均傾斜角が３．５〜８度の範囲であることが好ましく、さらに好ましくは４〜７度、より好ましくは４．５〜６．５度の範囲である。
【００６５】
導光体３の展開長が２２ｃｍを超え２３ｃｍ以下の場合は、比較的大型のノートパソコン等の表示装置に使用される。一灯型の冷陰極管を一次光源１として使用するノートパソコンとしては表示エリアが大きいものであり、導光体３の展開長が２２ｃｍ以下のものと比較すると、光利用効率をより高くし輝度を向上させることが必要となる。このように輝度をより高くしようとすると、例えば、光源装置の導光体３の裏面に配置される反射シートとして、指向性反射性の低い発泡ＰＥＴ反射フィルムに代えて指向性反射特性に優れる銀反射シ−トやアルミ反射シ−ト等の金属反射シートを使用する必要がある。しかし、金属反射シ−トを使用した場合には、金属反射特有のぎらつき、入射面近傍に現れる暗線輝線、入射面両端部近傍に現れる暗部等の欠陥が強く発現され、光源装置としての品位が損なわれる傾向にある。このような品位低下を抑止するためには、出射光光度分布（ＸＺ面内）の半値全幅が９度を超えるような光拡散性の高い光拡散素子６を使用することが必要となってくるが、このうような光拡散素子６を使用した場合には光拡散性が大きくなりすぎるとともに、全光線透過率の大幅な低下を招くため、十分に高い輝度が得られないという問題点を有する。このため、このような品位低下を導光体３や光偏向素子４にて抑止し、光拡散素子６としては、出射光光度分布（ＸＺ面内）の半値全幅が５〜１１度の範囲のものを使用することが好ましく、さらに好ましくは６〜１０度、より好ましくは７〜９度の範囲である。また、ヘイズ値としては、５０〜８０％の範囲であることが好ましく、さらに好ましくは５５〜７３％、より好ましくは５５〜７０％の範囲である。さらに、光拡散素子６の表面に凹凸構造を形成する場合には、その平均傾斜角が４．５〜９．５度の範囲であることが好ましく、さらに好ましくは５〜８．５度、より好ましくは５〜７度の範囲である。
【００６６】
（３）導光体３の展開長が２２ｃｍを超え２８ｃｍ以下の場合（一次光源１として多灯型の冷陰極管を使用）
このような光源装置は、デスクトップ型パソコンのモニター、液晶テレビ等の表示装置に使用されるため、比較的広い視野角が必要であるとともに高い輝度が必要となる。このため、一次光源１としては導光体３の対向する２つの端面にそれぞれ１個以上の冷陰極管を配置した多灯型のものが使用される。このような光源装置では、一灯型の一次光源１を用いたものとは品位に関する視認性が異なり、後述するような出射光光度分布（ＸＺ面内）の非対称性はその特性を失い、光源装置の中央部付近の出射光光度分布（ＸＺ面内）は、図２４に示したように、光拡散素子６を使用しない場合でも対称性が向上する。さらに、光源に近い両端部近傍での出射光光度分布（ＸＺ面内）は、それぞれ最も近いところから導光される光の影響をうけ、若干非対称性を帯びた出射光光度分布（ＸＺ面内）となる。すなわち、図２４の左側の端部近傍では、光源側の出射光光度分布（ＸＺ面内）が急激に低下し、中央側の出射光光度分布（ＸＺ面内）は滑らかなテイリング傾向を有しているため、左端部近傍での光の出射方向はやや中央部へ向いている成分が多くなっている。一方、図２４の右側の端部近傍では、これと反対の出射光光度分布（ＸＺ面内）を有しており、光の出射方向はやや中央部へ向いている成分が多くなっている。このため、中央部から両端部近傍を観察したときの視認性に優れた出射光特性が得られ、端部まで高品位な、高い輝度を有する光源装置となる。このため、光拡散素子６としては、広い視野角を得る光拡散性が必要とされ、出射光光度分布（ＸＺ面内）の半値全幅が６〜１３度の範囲のものを使用することが好ましく、さらに好ましくは６．５〜１１度、より好ましくは７〜９度の範囲である。また、ヘイズ値としては、５０〜８２％の範囲であることが好ましく、さらに好ましくは６０〜７５％、より好ましくは６５〜７０％の範囲である。さらに、光拡散素子６の表面に凹凸構造を形成する場合には、その平均傾斜角が４．５〜１２度の範囲であることが好ましく、さらに好ましくは５．５〜８．５度、より好ましくは６〜７度の範囲である。
【００６７】
本発明の光源装置においては、上記のような光拡散素子６を用いる場合、光偏向素子４からの出射光輝度分布（ＸＺ面内）の半値全幅が１９〜２６度程度の集光性が比較的弱い光偏向素子４を使用するとともに、光拡散性の比較的弱い光拡散素子６を使用した方がＹＺ面での拡散による輝度の低下を抑えられるため、輝度向上の観点からは好ましい場合がある。この場合、光拡散素子６としては、広い視野角を得る光拡散性が必要とされ、出射光光度分布（ＸＺ面内）の半値全幅が１〜８度の範囲のものを使用することが好ましく、さらに好ましくは２〜８度、より好ましくは３〜７度の範囲である。また、ヘイズ値としては、８〜７０％の範囲であることが好ましく、さらに好ましくは３０〜６５％、より好ましくは４０〜６０％の範囲である。さらに、光拡散素子６の一方の表面に凹凸構造を形成する場合には、その平均傾斜角が０．８〜７度の範囲であることが好ましく、さらに好ましくは３〜６．５度、より好ましくは３．５〜６度の範囲である。凹凸構造を両面に形成する場合には、その一方の表面の平均傾斜角が０．８〜４度の範囲であることが好ましく、さらに好ましくは１〜４度、より好ましくは２〜４度の範囲である。
【００６８】
本発明の光源装置においては、光偏向素子４の出光面から出射する出射光は図２５に示したような非対称的な出射光輝度分布（ＸＺ面内）を有する場合がある。この出射光輝度分布（ＸＺ面内）は、導光体３から出射した出射光光度分布（ＸＺ面内）に由来するものである。このような非対称的な出射光輝度分布（ＸＺ面内）は、例えば、光偏向素子４からの出射光輝度分布（ＸＺ面内）の半値全幅が、２０度以下の指向性の高い出射光が出射される場合に発現する傾向にある。特に、表示エリアの比較的大きな光源装置においては、このような出射光輝度分布（ＸＺ面内）の非対称性を緩和させるためには、光拡散性の比較的強い光拡散素子６を使用することが必要となる。一方、光拡散素子６として、出射光光度分布（ＸＺ面内）の半値全幅が４度以上、ヘイズ値が３５％以上のものを使用した場合には、光拡散素子６から出射する出射光光度分布（ＸＺ面内）のピーク角度が光偏向素子４からの出射光輝度分布（ＸＺ面内）のピーク角度に対して、光源と反対側の方向へ１〜３度程度偏角される。このため、光偏角素子からの出射光輝度分布（ＸＺ面内）のピーク角度が所望の方向（例えば法線方向）にある場合には、光拡散素子６を使用することによって所望の方向での輝度の低下を招くことになる。従って、光偏向素子４からの出射光輝度分布（ＸＺ面内）の半値全幅が２０度以下である場合に上記のような光拡散素子６を使用する際には、予め、光偏向素子４からの出射光輝度分布（ＸＺ面内）のピーク角度が所望の方向から光源側に０．５〜３度、さらに好ましくは０．５〜２度、より好ましくは１〜２度傾くように光偏向素子４等を設計しておくことが好ましい。
【００６９】
本発明においては、光拡散素子６として光拡散性に異方性を有するものを使用することが、光拡散素子６の全光線透過率を高め、光偏向素子４からの出射光を効率的に拡散でき、輝度を向上させることができるため好ましい。例えば、導光体３の一つの端面に線上の冷陰極管を一次光源１として配置した光源装置においては、狭視野化を図る光偏向素子４では、導光体３の光出射面から出射する出射光をＸＺ面において主として狭視野化を図るものであり、さらに光拡散素子６により狭視野化されたＸＺ面の光を主として拡散させ視野角を広げることを目的としている。しかし、光拡散素子６として等方性拡散性のものを使用した場合には、光偏角素子により狭視野化されていないＹＺ面の光も同等に拡散されるため、輝度の低下を招くことになる。そこで、図２６に示したように、ＸＺ面よりもＹＺ面での光拡散性が高いような異方拡散性を有する光拡散素子６を使用することにより、光偏向素子４により狭視野化されたＸＺ面の光を強く拡散し、狭視野化されていないＹＺ面の光の拡散を弱くすることができ、光偏向素子４からの出射光を効率的に拡散することができ、輝度の低下をできる限り最小に抑えることができる。
【００７０】
本発明においては、このような光拡散素子６の異方拡散性については、どのような異方性を有する光拡散素子６を使用するかは、上記のようにＸＺ面とＹＺ面での異方性に限定されるものではなく、導光体３の光出射機構、光偏向素子４のレンズ形状や配列、光源装置の用途等に応じて適宜選定することができる。すなわち、図２７に示したように、光拡散素子６の出射面に対する法線軸を含む任意の面（ＺＰ−ｎ面（ｎ＝１，２，・・・））を想定し、これらの任意の面における出射光光度分布（ＸＺ面内）の半値全幅を相違させることによって異方性を付与することができる。なお、ＺＰ−ｎ面の中で最も大きい半値全幅を最大半値全幅、最も小さい半値全幅を最小半値全幅とする。同様に、光拡散素子６に異方拡散性を付与する凹凸構造の平均傾斜角についても、ＺＰ−ｎ面と光拡散素子６（ＸＹ面）が交差する任意のＰ−ｎ方向における平均傾斜角を相違させることによって平均傾斜角の異方性を付与することができる。このとき、Ｐ−ｎ方向の中で最も大きい平均傾斜角を最大平均傾斜角、最も小さい平均傾斜角を最小平均傾斜角とする。
【００７１】
例えば、導光体３の一つの端面に線上の冷陰極管を配置し一次光源１とした場合、光偏向素子４は主としてＸＺ面で狭視野化を主として図り、ＹＺ面では殆ど作用しないため、ＸＺ面で効果的に出射光を拡散し、ＹＺ面では出射光を拡散させないような異方拡散性を有する光拡散素子６を使用することが最適である。従って、光拡散素子６としては、ＸＺ面で最大半値全幅を示し、ＹＺ面で最小半値全幅を示すような異方拡散性を有するものが好ましい。同様に、光拡散素子６に形成する凹凸構造も、Ｘ方向に最大平均傾斜角を有し、Ｙ方向に最小平均傾斜角を有するような構造あるいは配置とすることが好ましい。
【００７２】
このような異方拡散性を有する光拡散素子６においても、輝度特性、視認性および品位等のバランスを考慮して光偏向素子４からの出射光を適度に拡散させる光拡散特性を有する光拡散素子６を使用することが必要である。すなわち、光拡散素子６の光拡散性が低い場合には、視野角を十分に広げることが困難となり視認性を低下させるとともに、品位改善効果が十分でなくなる傾向にあり、逆に光拡散性が高すぎる場合には光偏向素子４による狭視野化の効果が損なわれるとともに、全光線透過率も低くなり輝度が低下する傾向にある。そこで、出射光光度分布（ＸＺ面内）の最大半値全幅が１〜１３度の範囲であるものが使用され、好ましくは３〜１１度の範囲、さらに好ましくは４〜９度の範囲である。また、最小半値全幅に対する最大半値全幅の比（最大半値全幅／最小半値全幅）が１．１〜２０の範囲であることが好ましく、さらに好ましくは２〜１５の範囲、より好ましくは４〜１０の範囲である。これは、最大半値全幅／最小半値全幅を１．１以上とすることによって光の利用効率を向上させ輝度を高めることができるためであり、２０以下とすることによって強い光拡散性による輝度の低下を抑止することができるためである。
【００７３】
光拡散素子６の一方の表面に凹凸構造を形成する場合には、その最大平均傾斜角を０．８〜１５度の範囲とすることが好ましく、さらに好ましくは３．５〜１１度であり、より好ましくは４〜９度である。また、最大半値全幅／最小半値全幅と同様の観点から、最小平均傾斜角に対する最大平均傾斜角の比（最大平均傾斜角／最小平均傾斜角）は、１．１〜２０の範囲であることが好ましく、さらに好ましくは２〜１５の範囲、より好ましくは４〜１０の範囲である。凹凸構造は、光拡散素子６の両方の表面に形成してもよく、この場合、光拡散素子６の全光線透過率の低下を抑止するためには、光拡散素子６の入射面側の平均傾斜角を出射面側の平均傾斜角よりも大きくすることが好ましい。また、光拡散素子６のヘイズ値としては８〜８２％の範囲とすることが、輝度特性向上と視認性改良の観点から好ましく、さらに好ましくは３０〜７０％の範囲であり、より好ましくは４０〜６５％の範囲である。
【００７４】
また、光拡散素子６としては、光源装置の表示エリアの大きさに応じて適切な光拡散特性を有するものを使用することが好ましい。導光体３の展開長が８ｃｍ以下の場合には、光拡散素子６としては、出射光光度分布（ＸＺ面内）の最大半値全幅が１〜６度の範囲であることが好ましく、さらに好ましくは１〜５度、より好ましくは２〜５度の範囲である。また、ヘイズ値としては、８〜６０％の範囲であることが好ましく、さらに好ましくは８〜５０％、より好ましくは２０〜５０％の範囲である。さらに、光拡散素子６の表面に凹凸構造を形成する場合には、その最大平均傾斜角が０．８〜５度の範囲であることが好ましく、さらに好ましくは０．８〜４度、より好ましくは２〜４度の範囲である。
【００７５】
導光体３の展開長が８ｃｍを超え２３ｃｍ以下の場合（一次光源１として一灯型の冷陰極管を使用）には、光拡散素子６としては、出射光光度分布（ＸＺ面内）の最大半値全幅が３〜１１度の範囲であることが好ましく、さらに好ましくは４〜１０度、より好ましくは４〜９度の範囲である。また、ヘイズ値としては、３０〜８０％の範囲であることが好ましく、さらに好ましくは４０〜７３％、より好ましくは４５〜７０％の範囲である。さらに、光拡散素子６の表面に凹凸構造を形成する場合には、その最大平均傾斜角が３〜１５度の範囲であることが好ましく、さらに好ましくは３．５〜１０度、より好ましくは４．５〜８度の範囲である。中でも、導光体３の展開長が８ｃｍを超え１８ｃｍ以下の場合には、光拡散素子６としては、出射光光度分布（ＸＺ面内）の最大半値全幅が３〜１０度の範囲であることが好ましく、さらに好ましくは４〜１０度、より好ましくは４〜９度の範囲である。また、ヘイズ値としては、３０〜７０％の範囲であることが好ましく、さらに好ましくは４０〜６５％、より好ましくは４５〜６０％の範囲である。さらに、光拡散素子６の表面に凹凸構造を形成する場合には、その最大平均傾斜角が３〜９度の範囲であることが好ましく、さらに好ましくは３．５〜８度、より好ましくは４．５〜８度の範囲である。また、導光体３の展開長が１８ｃｍを超え２２ｃｍ以下の場合には、光拡散素子６としては、出射光光度分布（ＸＺ面内）の最大半値全幅が４〜１３度の範囲であることが好ましく、さらに好ましくは５〜１１度、より好ましくは５〜８．５度の範囲である。また、ヘイズ値としては、４０〜７５％の範囲であることが好ましく、さらに好ましくは５０〜７０％、より好ましくは５０〜６５％の範囲である。さらに、光拡散素子６の表面に凹凸構造を形成する場合には、その最大平均傾斜角が３．５〜１５度の範囲であることが好ましく、さらに好ましくは４〜９度、より好ましくは４．５〜６．５度の範囲である。さらに、導光体３の展開長が２２ｃｍを超え２３ｃｍ以下の場合は、光拡散素子６としては、出射光光度分布（ＸＺ面内）の最大半値全幅が５〜１３度の範囲のものを使用することが好ましく、さらに好ましくは６〜１２度、より好ましくは７〜９度の範囲である。また、ヘイズ値としては、５０〜８０％の範囲であることが好ましく、さらに好ましくは５５〜７３％、より好ましくは５５〜７０％の範囲である。さらに、光拡散素子６の表面に凹凸構造を形成する場合には、その最大平均傾斜角が４．５〜１５度の範囲であることが好ましく、さらに好ましくは５〜１０度、より好ましくは５〜７度の範囲である。
【００７６】
導光体３の展開長が２２ｃｍを超え２８ｃｍ以下の場合（一次光源１として多灯型の連陰極管を使用）には、光拡散素子６としては、広い視野角を得る光拡散性が必要とされ、出射光光度分布（ＸＺ面内）の最大半値全幅が６〜１３度の範囲のものを使用することが好ましく、さらに好ましくは６．５〜１１度、より好ましくは７〜９度の範囲である。また、ヘイズ値としては、５０〜８２％の範囲であることが好ましく、さらに好ましくは６０〜７５％、より好ましくは６５〜７０％の範囲である。さらに、光拡散素子６の表面に凹凸構造を形成する場合には、その最大平均傾斜角が４．５〜１５度の範囲であることが好ましく、さらに好ましくは５．５〜１３度、より好ましくは６〜７度の範囲である。
【００７７】
このような異方拡散性を有する光拡散素子６の拡散性付与構造としては、例えば、図２８〜３０に示したような凹凸構造が挙げられる。図２８に示した凹凸構造は、一軸上に長く伸びたレンチキュラーレンズ列等の多数のレンズ列を略並列して連設した配列構造である。このようなレンズ列の配列ピッチは表示装置として使用される液晶素子のピッチおよび光偏向素子４のプリズム列等のレンズ列の配列ピッチに対してモアレの発生しにくいピッチを選定するか、ランダムな配列ピッチとすることが好まし。通常、レンズ列の配列ピッチは１〜７０μｍの範囲とすることが好ましく、製造の容易さやモアレの発生を防止する観点から５〜４０μｍがさらに好ましく、より好ましくは１０〜３０μｍの範囲である。また、レンズ列の長手方向と直交する方向の平均傾斜角は０．８〜１５度の範囲とすることが輝度向上と視認性の観点から好ましく、さらに好ましくは３．５〜１１度、より好ましくは４〜９度の範囲である。
【００７８】
図２９に示した凹凸構造は、多数のシリンドリカルレンズ形状体を離散的に配列した構造である。シリンドリカルレンズ形状体の配列間隔は、一定の規則的なピッチでもよく、ランダムな配列ピッチであってもよい。通常、シリンドリカルレンズ形状体の配列ピッチは、１〜７０μｍの範囲とすることが好ましく、製造の容易さやモアレの発生を防止する観点から５〜４０μｍがさらに好ましく、より好ましくは１０〜３０μｍの範囲である。また、シリンドリカルレンズ形状体の長手方向と直交する方向の平均傾斜角は０．８〜１５度とすることが輝度向上と視認性の観点から好ましく、さらに好ましくは３．５〜１１度、より好ましくは４〜９度の範囲である。このような離散的な配列構造は、光拡散素子６として最大半値全幅であることが必要な面と光拡散素子６の出射面との交差する線と、シリンドリカルレンズ形状体の長手方向が略直交する量的確率が高くなるように配列することが好ましい。また、光拡散素子６として最小半値全幅であることが必要な面と光拡散素子６の出射面と交差する線と、シリンドリカルレンズ形状体の長手方向が略平行になる量的確率が高くなるよう配列することが好ましい。
【００７９】
図３０に示した凹凸構造はヘアライン構造である。ヘアラインの延びる方向に直交方向の平均傾斜角は０．８〜１５度とすることが輝度向上と視認性の観点から好ましく、さらに好ましくは３．５〜１１度、より好ましくは４〜９度の範囲である。ヘアラインの延びる方向は、光拡散素子６として最大半値全幅であることが必要な面と光拡散素子６の出射面との交差する線と略直交する方向が好ましい。
【００８０】
このような異方拡散性を付与する凹凸構造が形成された面およびその裏面の少なくとも一方にマット構造を付与することにより、ぎらつきや輝度斑等を抑止することができ品位を向上させることができる。しかし、マット構造の光拡散性が強くなると異方拡散性が損なわれ輝度の低下を招く場合があるため、比較的光拡散性の弱いマット構造を付与することが好ましい。このようなマット構造としては、平均傾斜角度が０．５〜５度の範囲のものが好ましく、さらに好ましくは０．８〜４度、より好ましくは１〜３．５度の範囲である。なお、異方性付与凹凸構造の表面にマット構造を付与した場合のマット構造の平均傾斜角は、凹凸構造に起因する平均傾斜角度を除いたマット構造自体の平均傾斜角をいう。すなわち、凹凸構造の無い部分や凹凸構造の長手方向に平行な平均傾斜角を測定することができ、触針粗さ計による計測、光拡散素子６の断面形状を画像解析する方法、原子間力顕微鏡等によって測定することができる。
【００８１】
本発明においては、光偏向素子４を用いて導光体３からの出射光を法線方向等の特定な方向に出射させ、この出射光を異方拡散性を有する光拡散素子６を用いて所望の方向に出射させることもできる。この場合、光拡散素子６に異方拡散作用と光偏向角作用の両方の機能を付与することもできる。例えば、凹凸構造としてレンチキュラーレンズ列やシリンドリカルレンズ形状体を用いたものでは、その断面形状を非対称形状にすることで、異方拡散作用と光偏向作用の両機能を付与することができる。
【００８２】
また、本発明においては、光源装置としての視野角を調整し、品位を向上させる目的で、光偏向素子４や光拡散素子６に光拡散材を含有させることもできる。このような光拡散材としては、光偏向素子４や光拡散素子６を構成する材料と屈折率が異なる透明な微粒子を使用することができ、例えば、シリコンビーズ、ポリスチレン、ポリメチルメタクリレ−ト、フッ素化メタクリレ−ト等の単独重合体あるいは共重合体等が挙げられる。光拡散材としては、光偏向素子４による狭視野効果や光拡散素子６による適度な拡散効果を損なわないように、含有量、粒径、屈折率等を適宜選定する必要がある。例えば、光拡散材の屈折率は、光偏向素子４や光拡散素子６を構成する材料との屈折率差が小さすぎると拡散効果が小さく、大きすぎると過剰な散乱屈折作用が生じるため、屈折率差が０．０１〜０．１の範囲とすることが好ましく、さらに好ましくは０．０３〜０．０８、より好ましくは０．０３〜０．０５の範囲である。また、拡散材の粒径は、粒径が大きすぎると散乱が強くなりぎらつきや輝度の低下を引き起こし、小さすぎると着色が発生するため、平均粒径が０．５〜２０μｍの範囲とすることが好ましく、さらに好ましくは２〜１５μｍ、より好ましくは２〜１０μｍの範囲である。
【００８３】
なお、本発明のような光偏向素子を用いた光源装置の出射光輝度分布（ＸＺ面内）は、ピ−ク位置を境に、光源側での出射光輝度分布（ＸＺ面内）がピ−ク光から遠くなるにつれ急激に輝度が低下し、光源から遠い側での出射光輝度分布（ＸＺ面内）は比較的緩やかに輝度が低下する非対称な出射光輝度分布（ＸＺ面内）を示す場合がある。例えば、このような出射光輝度分布（ＸＺ面内）の光源装置を１０インチ以上のノ−ト型パソコン等の比較的広い視野角を必要とする液晶表示装置に用いる場合、比較的光拡散性の高い光拡散素子を光偏向素子の出光面上に配置し、出射光光度分布（ＸＺ面内）を広げて視野角を広げることが行われている。ヘイズ値が５０％以上という光拡散性の強い光拡散素子を用いる場合には、出射光光度分布（ＸＺ面内）のピーク角度が１〜３度程度光源から遠い側に偏向される。このため、光偏向素子からの出射光輝度分布（ＸＺ面内）のピーク角度がその出光面の法線方向に位置する場合、光拡散素子により出射光光度分布（ＸＺ面内）のピーク角度が、法線方向から１〜３度程度光源から遠い側に偏光され、結果として法線方向から観察した場合の輝度を極端に低下させることになる。これは、光拡散素子を使用することにより、光偏向素子から出射した出射光輝度分布（ＸＺ面内）の非対称性は幾分緩和されるものの、比較的急激に輝度が低下する出射光輝度分布（ＸＺ面内）の部位が法線方向位置するためである。このような輝度の極端な低下を避けるために、あらかじめ光偏向素子からの出射光輝度分布（ＸＺ面内）のピーク角度を法線方向から光源側に１〜３度傾けておくことが好ましい。
【００８４】
【実施例】
以下、実施例によって本発明を具体的に説明する。
なお、以下の実施例における各物性の測定は下記のようにして行った。
【００８５】
面光源装置の法線輝度、光度半値全幅の測定
光源として冷陰極管を用い、インバータ（ハリソン社製ＨＩＵ−７４２Ａ）にＤＣ１２Ｖを印加して高周波点灯させた。輝度は、面光源装置あるいは導光体の表面を２０ｍｍ四方の正方形に３×５分割し、各正方形の法線方向の輝度値の１５点平均を求めた。導光体の光度半値全幅は、導光体の表面に４ｍｍφのピンホールを有する黒色の紙をピンホールが表面の中央に位置するように固定し、輝度計の測定円が８〜９ｍｍとなるように距離を調整し、冷陰極管の長手方向軸と垂直方向および平行方向でピンホールを中心にゴニオ回転軸が回転するように調節した。それぞれの方向で回転軸を＋８０°〜−８０°まで１°間隔で回転させながら、輝度計で出射光の光度分布（ＸＺ面内）を測定し、ピーク角度、光度分布（ＸＺ面内）の半値全幅（ピーク値の１／２の分布（ＸＺ面内）の広がり角）を求めた。また、面光源装置の輝度半値全幅は、輝度計の視野角度を０．１度にし、面光源装置の中央の面に位置するよう調整し、ゴニオ回転軸が回転するように調節した。それぞれの方向で回転軸を＋８０°〜−８０°まで１°間隔で回転させながら、輝度計で出射光の輝度分布（ＸＺ面内）を測定し、ピーク輝度、ピーク角度を求めた。
【００８６】
平均傾斜角（θａ）の測定
ＩＳＯ４２８７／１−１９８７に従って、触針として０１０−２５２８（１μｍＲ、５５°円錐、ダイヤモンド）を用いた触針式表面粗さ計（東京精器（株）製サーフコム５７０Ａ）にて、粗面の表面粗さを駆動速度０．０３ｍｍ／秒で測定した。この測定により得られたチャートより、その平均線を差し引いて傾斜を補正し、前記式（１）式および（２）式によって計算して求めた。
【００８７】
ヘイズ値の測定
ヘイズ値は、ＪＩＳ　Ｋ−７１０５のＢ法に従って、５０ｍｍ×５０ｍｍの大きさの試料を積分球式反射透過率計（村上色彩技術研究社製ＲＴ−１００型）を用いて得られた全光線透過率（Ｔｔ）、拡散光線透過率（Ｔｄ）から、次の式（４）によって計算して求めた。
【００８８】
【数３】
2004046076.tif 000005
光拡散分布角度の測定
光拡散分布角度は、５０ｍｍ×５０ｍｍの大きさの試料を自動変角光度計（村上色彩研究所社製ＧＰ−２００型）を用いて測定し、求めたピーク光度の１／２光度である半値半幅角度の２倍をサンプルの半値全幅角度（ａ）とした。なお、試料に入射させる光は、光源からの光をコンデンサーレンズによりピンホールに集光し、コリメーターレンズを通して平行光（平行度±０．５度以下）とし、光束絞り（開口径１０．５ｍｍ）を通過し試料の入射面に入射させる。試料を透過した光は、受光レンズ（開口径１１．４ｍｍを通り（試料面が平滑である場合は、受光絞りの位置に集光する）、受光絞りを通過して受光素子に達し、電圧値として出力する。また、試料を回転させ同様の測定を行い、最大半値全幅（Ｍａｘａ）と最小半値全幅（Ｍｉｎａ）を求めた。
【００８９】
実施例１
アクリル樹脂（三菱レイヨン（株）製アクリペットＶＨ５＃０００）を用い射出成形することによって一方の面がマットである導光体を作製した。該導光体は、２１６ｍｍ×２９０ｍｍ、厚さ２．０ｍｍ−０．７ｍｍのクサビ板状をなしていた。この導光体の鏡面側に、導光体の長さ２３０ｍｍの辺（短辺）と平行になるように、アクリル系紫外線硬化樹脂によってプリズム列のプリズム頂角１００°、ピッチ５０μｍのプリズム列が並列に連設配列されたプリズム層を形成した。導光体の長さ２９０ｍｍの辺（長辺）に対応する一方の側端面（厚さ２．０ｍｍの側の端面）に沿って冷陰極管を光源リフレクター（麗光社製銀反射フィルム）で覆い配置した。さらに、その他の側端面に光拡散反射フィルム（東レ社製Ｅ６０）を貼付し、プリズム列配列（裏面）に反射シートを配置した。以上の構成を枠体に組み込んだ。この導光体は、光入射面および光出射面の双方に垂直な面内での出射光光度分布（ＸＺ面内）の最大ピーク角度は光出射面法線方向に対して７０度、半値全幅は２２．５度であった。
【００９０】
一方、屈折率１．５０６４のアクリル系紫外線硬化性樹脂を用いて、表１に示したように、プリズム列を構成する一方のプリズム面（第１のプリズム面）を法線とのなす角度（α）が３２．５度の平面とし、他方のプリズム面（第２のプリズム面）をプリズム頂部からプリズム列の高さ２１．４μｍまでを短軸の曲率半径４００μｍ、長軸の曲率半径８００μｍの非球面形状（曲率半径８００μｍの曲面）の凸曲面（傾斜角＝５６．６度、β＝３３．８度）、プリズム頂部からプリズム列の高さ２１．４μｍ以上を曲率半径４００μｍの球面形状の凸曲面（傾斜角＝５９．０度）とする２つの凸曲面（プリズム頂部側からエリア１、２）で構成したピッチ５６．５μｍのプリズム列が略並列に連設されたプリズム列形成面を、厚さ１２５μｍのポリエステルフィルムの一方の表面に形成したプリズムシートを作製した。プリズムシートの第２のプリズム面の仮想平面との最大距離（ｄ）のプリズム列のピッチ（Ｐ）に対する割合（ｄ／Ｐ）は１．０３％であった。
【００９１】
得られたプリズムシートを、上記導光体の光出射面側にプリズム列形成面が向き、導光体の光入射面にプリズム稜線が平行であり第１のプリズム面が光源側となるように載置し、面光源装置を得た。この面光源装置の光入射面および光出射面の双方に垂直な面内での出射光輝度分布（ＸＺ面内）を求め、比較例１を基準とした場合のピーク輝度比率、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表２に示した。
【００９２】
実施例２
プリズム列を構成する第２のプリズム面を、表１に示したように、プリズム頂部からプリズム列の高さ１６μｍまでを傾斜角を５５．２度の平面（β＝３４．８度）、プリズム列の高さ１６μｍからプリズム底部までをプリズム頂部に近い側から傾斜角が５５．５度、５６．２度、５７．０度、５７．８度、５８．４度、５９．４度の同一幅の６つの平面とする７つの平面（プリズム頂部側からエリア１、２・・・７）で構成した以外は、実施例１と同様にしてプリズムシートを作製した。プリズムシートの第２のプリズム面の仮想平面との最大距離（ｄ）のプリズム列のピッチ（Ｐ）に対する割合（ｄ／Ｐ）は１．１０％であった。
【００９３】
得られたプリズムシートを、実施例１の導光体の光出射面側にプリズム列形成面が向き、導光体の光入射面にプリズム稜線が平行であり第１のプリズム面が光源側となるように載置し、面光源装置を得た。この面光源装置の光入射面および光出射面の双方に垂直な面内での出射光輝度分布（ＸＺ面内）を求め、比較例１を基準とした場合のピーク輝度比率、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表２に示した。
【００９４】
実施例３
プリズム列を構成する第２のプリズム面を、表１に示したように、プリズム頂部からプリズム列の高さ１０．６μｍまでを傾斜角が５６．４度の平面（β＝３３．６度）、プリズム列の高さ１０．６〜２１．３μｍまでを傾斜角が５６．８度の平面、プリズム列の高さ２１．３μｍ以上を曲率半径４００μｍの球面形状の凸曲面（傾斜角＝５９．２度）とする２つの平面と１つの凸曲面（プリズム頂部側からエリア１、２、３）から構成した以外は、実施例１と同様にしてプリズムシートを作製した。プリズムシートの第２のプリズム面の仮想平面との最大距離（ｄ）のプリズム列のピッチ（Ｐ）に対する割合（ｄ／Ｐ）は１．０３％であった。
【００９５】
得られたプリズムシートを、実施例１の導光体の光出射面側にプリズム列形成面が向き、導光体の光入射面にプリズム稜線が平行であり第１のプリズム面が光源側となるように載置し、面光源装置を得た。この面光源装置の光入射面および光出射面の双方に垂直な面内での出射光輝度分布（ＸＺ面内）を求め、比較例１を基準とした場合のピーク輝度比率、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表２に示した。
【００９６】
実施例４
プリズム列を構成する第２のプリズム面を、表１に示したように、プリズム頂部からプリズム列の高さ２１．５μｍまでを傾斜角が５６．８度の平面（β＝３３．２度）、プリズム列の高さ２１．５μｍ以上を傾斜角が５８．７度の平面とする２つの平面（プリズム頂部側からエリア１、２）とから構成した以外は、実施例１と同様にしてプリズムシートを作製した。プリズムシートの第２のプリズム面の仮想平面との最大距離（ｄ）のプリズム列のピッチ（Ｐ）に対する割合（ｄ／Ｐ）は０．７６％であった。
【００９７】
得られたプリズムシートを、実施例１の導光体の光出射面側にプリズム列形成面が向き、導光体の光入射面にプリズム稜線が平行であり第１のプリズム面が光源側となるように載置し、面光源装置を得た。この面光源装置の光入射面および光出射面の双方に垂直な面内での出射光輝度分布（ＸＺ面内）を求め、比較例１を基準とした場合のピーク輝度比率、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表２に示した。
【００９８】
実施例５
表１に示したように、プリズム列を構成する第１のプリズム面と法線となす角度（α）を２９．０度、プリズム列を構成する第２のプリズム面を、プリズム頂部からプリズム列の高さ１６．０μｍまでを傾斜角を５５．３度の平面（β＝３４．７度）、プリズム列の高さ１６．０μｍからプリズム底部までをプリズム頂部に近い側から傾斜角が５５．７度、５６．５度、５７．４度、５８．２度、５９．０度、５９．６、６０．３度の同一幅の７つの平面とする８つの平面（プリズム頂部側からエリア１，２，・・　・８）で構成した以外は、実施例１と同様にしてプリズムシートを作製した。プリズムシートの第２のプリズム面の仮想平面との最大距離（ｄ）のプリズム列のピッチ（Ｐ）に対する割合（ｄ／Ｐ）は０．７３％であった。
【００９９】
得られたプリズムシートを、実施例１の導光体の光出射面側にプリズム列形成面が向き、導光体の光入射面にプリズム稜線が平行であり第１のプリズム面が光源側となるように載置し、面光源装置を得た。この面光源装置の光入射面および光出射面の双方に垂直な面内での出射光輝度分布を求め、比較例１を基準とした場合のピーク輝度比率、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表２に示した。
【０１００】
実施例６
表１に示したように、実施例５のプリズム列高さ１６．０μｍからプリズム底部までの７つのエリアの境界を通る曲面で構成した（プリズム頂部に近い側からの各エリアの傾斜角が５５．４度、５６．２度、５７．１度、５７．９度、５８．７度、５９．３、６０．０度）以外は、実施例１と同様にしてプリズムシートを作製した。プリズムシートの第２のプリズム面の仮想平面との最大距離（ｄ）のプリズム列のピッチ（Ｐ）に対する割合（ｄ／Ｐ）は０．０．６８％であった。
【０１０１】
得られたプリズムシートを、実施例１の導光体の光出射面側にプリズム列形成面が向き、導光体の光入射面にプリズム稜線が平行であり第１のプリズム面が光源側となるように載置し、面光源装置を得た。この面光源装置の光入射面および光出射面の双方に垂直な面内での出射光輝度分布を求め、比較例１を基準とした場合のピーク輝度比率、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表２に示した。
【０１０２】
実施例７
表１に示したように、プリズム列を構成する第１のプリズム面を法線となす角度（α）が１５．０度の平面とし、第２のプリズム面をプリズム頂部からプリズム列の高さ１０．４μｍまでを傾斜角を５２．０度の平面（β＝３８度）、プリズム列の高さ１０．４μｍからプリズム底部までをプリズム頂部に近い側から傾斜角が５２．６度、５２．８度、５３．７度、５４．５度、５５．３度、５６．１度、５６．８度、５７．５度、５８．４度、６０．０度の同一幅の１０の平面とする１１の平面（プリズム頂部側からエリア１，２，・・　・１１）で構成した以外は、実施例１と同様にしてプリズムシートを作製した。プリズムシートの第２のプリズム面の仮想平面との最大距離（ｄ）のプリズム列のピッチ（Ｐ）に対する割合（ｄ／Ｐ）は１．４８％であった。
【０１０３】
得られたプリズムシートを、実施例１の導光体の光出射面側にプリズム列形成面が向き、導光体の光入射面にプリズム稜線が平行であり第１のプリズム面が光源側となるように載置し、面光源装置を得た。この面光源装置の光入射面および光出射面の双方に垂直な面内での出射光輝度分布を求め、比較例１を基準とした場合のピーク輝度比率、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表２に示した。
【０１０４】
実施例８
表１に示したように、プリズム列を構成する第１のプリズム面と法線となす角度（α）を１０．０度、第２のプリズム面をプリズム頂部からプリズム列の高さ１１．５μｍまでを傾斜角を５２．０度の平面（β＝３８．０度）、プリズム列の高さ１１．５μｍからプリズム底部までをプリズム頂部に近い側から傾斜角が５２．６度、５２．８度、５３．７度、５４．５度、５５．３度、５６．１度、５６．８度、５７．５度、５８．４度、の同一幅の９つの平面と６０度の平面とする１１の平面（プリズム頂部側からエリア１，２，・・　・１１）で構成した以外は、実施例１と同様にしてプリズムシートを作製した。プリズムシートの第２のプリズム面の仮想平面との最大距離（ｄ）のプリズム列のピッチ（Ｐ）に対する割合（ｄ／Ｐ）は１．６４％であった。
【０１０５】
得られたプリズムシートを、実施例１の導光体の光出射面側にプリズム列形成面が向き、導光体の光入射面にプリズム稜線が平行であり第１のプリズム面が光源側となるように載置し、面光源装置を得た。この面光源装置の光入射面および光出射面の双方に垂直な面内での出射光輝度分布を求め、比較例１を基準とした場合のピーク輝度比率、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表２に示した。
【０１０６】
実施例９
表１に示したように、プリズム列を構成する第１のプリズム面と法線のなす角度（α）を５度、第２のプリズム面をプリズム頂部からプリズム列の高さ１２．９μｍまでを傾斜角を５２．０度の平面（β＝３８度）、プリズム列の高さ１２．９μｍからプリズム底部までをプリズム頂部に近い側から傾斜角が５２．６度、５２．８度、５３．７度、５４．５度、５５．３度、５６．１度、５６．８度、５７．５度、５８．４度、の同一幅の９つの平面と６０度の平面とする１１の平面（プリズム頂部側からエリア１，２，・・　・１１）で構成した以外は、実施例１と同様にしてプリズムシートを作製した。プリズムシートの第２のプリズム面の仮想平面との最大距離（ｄ）のプリズム列のピッチ（Ｐ）に対する割合（ｄ／Ｐ）は１．８３％であった。
【０１０７】
得られたプリズムシートを、実施例１の導光体の光出射面側にプリズム列形成面が向き、導光体の光入射面にプリズム稜線が平行であり第１のプリズム面が光源側となるように載置し、面光源装置を得た。この面光源装置の光入射面および光出射面の双方に垂直な面内での出射光輝度分布を求め、比較例１を基準とした場合のピーク輝度比率、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表２に示した。
【０１０８】
実施例１０
表１に示したように、プリズム列を構成する第１のプリズム面と法線のなす角度（α）を０．１度、第２のプリズム面をプリズム頂部からプリズム列の高さ１４．５μｍまでを傾斜角を５２．０度の平面（β＝３８度）、プリズム列の高さ１４．５μｍからプリズム底部までをプリズム頂部に近い側から傾斜角が５２．６度、５２．８度、５３．７度、５４．５度、５５．３度、５６．１度、５６．８度、５７．５度、５８．４度、の同一幅の９つの平面と６０度の平面とする１１の平面（プリズム頂部側からエリア１，２，・・　・１１）で構成した以外は、実施例１と同様にしてプリズムシートを作製した。プリズムシートの第２のプリズム面の仮想平面との最大距離（ｄ）のプリズム列のピッチ（Ｐ）に対する割合（ｄ／Ｐ）は２．０６％であった。
【０１０９】
得られたプリズムシートを、実施例１の導光体の光出射面側にプリズム列形成面が向き、導光体の光入射面にプリズム稜線が平行であり第１のプリズム面が光源側となるように載置し、面光源装置を得た。この面光源装置の光入射面および光出射面の双方に垂直な面内での出射光輝度分布を求め、比較例１を基準とした場合のピーク輝度比率、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表２に示した。
【０１１０】
比較例１
プリズムシートのプリズム列を、２つのプリズム面がともに平面であり、プリズム頂角が６５．４度である断面二等辺三角形（α＝β＝３２．７度）とした以外は、実施例１と同様にして面光源装置を得た。この面光源装置の光入射面および光出射面の双方に垂直な面内での出射光輝度分布（ＸＺ面内）を求め、ピーク輝度を１．００とし、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表２に示した。
【０１１１】
【表１】
2004046076.tif 000006
【表２】
2004046076.tif 000007
実施例１１〜２２
プリズム列を構成する第２のプリズム面を、表２に示した傾斜角および分割高さの３つの平面（プリズム頂部側からエリア１、２、３）で構成した以外は、実施例１と同様にしてプリズムシートを作製した。得られたプリズムシートを、実施例１の導光体の光出射面側にプリズム列形成面が向き、導光体の光入射面にプリズム稜線が平行であり第１のプリズム面が光源側となるように載置し、面光源装置を得た。この面光源装置の光入射面および光出射面の双方に垂直な面内での出射光輝度分布（ＸＺ面内）を求め、比較例１を基準とした場合のピーク輝度比率、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表３に示した。
【０１１２】
比較例２
プリズム列を構成する第２のプリズム面全体を曲率半径４５２μｍの球面形状の凸曲面（傾斜角＝５７．３度、β＝３６．３度）とした以外は、実施例１と同様にしてプリズムシートを作製した。得られたプリズムシートを、実施例１の導光体の光出射面側にプリズム列形成面が向き、導光体の光入射面にプリズム稜線が平行であり第１のプリズム面が光源側となるように載置し、面光源装置を得た。この面光源装置の光入射面および光出射面の双方に垂直な面内での出射光輝度分布（ＸＺ面内）を求め、比較例１を基準とした場合のピーク輝度比率、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表３に示した。
【０１１３】
【表３】
2004046076.tif 000008
実施例２３〜３４
アクリル樹脂（三菱レイヨン（株）製アクリペットＶＨ５＃０００）を用い射出成形することによって一方の面がマットである導光体を作製した。該導光体は、２３０ｍｍ×３１０ｍｍ、厚さ３．５ｍｍ−１．２ｍｍのクサビ板状をなしていた。この導光体の鏡面側に、導光体の長さ２３０ｍｍの辺（短辺）と平行になるように、アクリル系紫外線硬化樹脂によってプリズム列のプリズム頂角１００°、ピッチ５０μｍのプリズム列が略並列に連設配列されたプリズム層を形成した。導光体の長さ３１０ｍｍの辺（長辺）に対応する一方の側端面（厚さ３．５ｍｍの側の端面）に沿って冷陰極管を光源リフレクター（麗光社製銀反射フィルム）で覆い配置した。さらに、その他の側端面に光拡散反射フィルム（東レ社製Ｅ６０）を貼付し、プリズム列配列（裏面）に反射シートを配置した。以上の構成を枠体に組み込んだ。この導光体は、光入射面および光出射面の双方に垂直な面内での出射光光度分布（ＸＺ面内）の最大ピーク角度は光出射面法線方向に対して７０度、半値全幅は３３度であった。
【０１１４】
一方、プリズム列を構成する第２のプリズム面を、表３に示した傾斜角および分割高さの３つの平面（プリズム頂部側からエリア１、２、３）で構成した以外は、実施例１と同様にしてプリズムシートを作製した。
【０１１５】
得られたプリズムシートを、実施例１の導光体の光出射面側にプリズム列形成面が向き、導光体の光入射面にプリズム稜線が平行であり第１のプリズム面が光源側となるように載置し、面光源装置を得た。この面光源装置の光入射面および光出射面の双方に垂直な面内での出射光輝度分布（ＸＺ面内）を求め、比較例４を基準とした場合のピーク輝度比率、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表４に示した。
【０１１６】
比較例３
比較例２のプリズムシートを使用した以外は、実施例２３〜３４と同様にして、面光源装置を得た。この面光源装置の光入射面および光出射面の双方に垂直な面内での出射光輝度分布（ＸＺ面内）を求め、比較例４を基準とした場合のピーク輝度比率、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表４に示した。
【０１１７】
比較例４
比較例１のプリズムシートを使用した以外は、実施例２３〜３４と同様にして、面光源装置を得た。この面光源装置の光入射面および光出射面の双方に垂直な面内での出射光輝度分布（ＸＺ面内）を求め、このピーク輝度を１．００とし、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表４に示した。
【０１１８】
【表４】
2004046076.tif 000009
実施例３５〜３９
プリズム列を構成する一方のプリズム面（第１のプリズム面）と法線とのなす角度（α）、他方のプリズム面（第２のプリズム面）と法線とのなす角度（β）を表４に示した角度とし、第２のプリズム面を表４に示した傾斜角および分割高さの２つの平面（プリズム頂部側からエリア１、２）で構成した以外は、実施例１と同様にしてプリズムシートを作製した。得られたプリズムシートを、実施例１の導光体の光出射面側にプリズム列形成面が向き、導光体の光入射面にプリズム稜線が平行であり第１のプリズム面が光源側となるように載置し、面光源装置を得た。この面光源装置の光入射面および光出射面の双方に垂直な面内での出射光輝度分布（ＸＺ面内）を求め、比較例１を基準とした場合のピーク輝度比率、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表５に示した。
【０１１９】
比較例５
プリズム列を構成する第２のプリズム面全体を傾斜角５５．０度（β＝３５．０度）の平面とした以外は、実施例１と同様にしてプリズムシートを作製した。得られたプリズムシートを、実施例１の導光体の光出射面側にプリズム列形成面が向き、導光体の光入射面にプリズム稜線が平行であり第１のプリズム面が光源側となるように載置し、面光源装置を得た。この面光源装置の光入射面および光出射面の双方に垂直な面内での出射光輝度分布（ＸＺ面内）を求め、比較例５を基準とした場合のピーク輝度比率、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表５に示した。
【０１２０】
【表５】
2004046076.tif 000010
実施例４０〜４４
プリズム列を構成する一方のプリズム面（第１のプリズム面）と法線とのなす角度（α）、他方のプリズム面（第２のプリズム面）と法線とのなす角度（β）を表５に示した角度とし、第２のプリズム面を表５に示した傾斜角および分割高さの２つの平面（プリズム頂部側からエリア１、２）で構成した以外は、実施例２３〜３４と同様にしてプリズムシートを作製した。得られたプリズムシートを、実施例１の導光体の光出射面側にプリズム列形成面が向き、導光体の光入射面にプリズム稜線が平行であり第１のプリズム面が光源側となるように載置し、面光源装置を得た。この面光源装置の光入射面および光出射面の双方に垂直な面内での出射光輝度分布（ＸＺ面内）を求め、比較例６を基準とした場合のピーク輝度比率、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表６に示した。
【０１２１】
比較例６
プリズム列を構成する第２のプリズム面全体を傾斜角５５．０度（β＝３５．０度）の平面とした以外は、実施例１と同様にしてプリズムシートを作製した。得られたプリズムシートを、実施例２３〜３４の導光体の光出射面側にプリズム列形成面が向き、導光体の光入射面にプリズム稜線が平行であり第１のプリズム面が光源側となるように載置し、面光源装置を得た。この面光源装置の光入射面および光出射面の双方に垂直な面内での出射光輝度分布（ＸＺ面内）を求め、比較例１を基準とした場合のピーク輝度比率、ピーク角度、ピーク輝度の１／２の輝度を有する角度（半値全幅）、ピーク輝度の１／２の輝度を有する角度の差の絶対値（｜Δθａ−Δθｂ｜）を測定し、その結果を表６に示した。
【０１２２】
【表６】
2004046076.tif 000011
実施例４５
実施例１の面光源装置に一方の表面が平均傾斜角度７．２７度のマット面で、他方の表面が平均傾斜角度が０．７度のマット面であり、出射光光度分布（ＸＺ面内）の半値全幅が９．４度の光拡散素子を光偏向素子の出光面上に、平均傾斜角度が７．２７度のマット面が光偏光素子側に向くように載置し、面光源装置を得た。作製された面光源装置の出射光輝度分布（ＸＺ面内）における比較例５を基準とした場合のピーク輝度比率、輝度半値全幅、目視で確認した品位の評価結果を表７に示した。
【０１２３】
実施例４６
一方の表面が平均傾斜角度５．０度のマット面で、他方の表面が平均傾斜角度が０．７度のマット面であり、出射光光度分布（ＸＺ面内）の半値全幅が６度の光拡散素子を光偏向素子の出光面上に、平均傾斜角度が５．０度のマット面が光偏光素子側に向くように載置した以外は、実施例１と同様にして面光源装置を得た。作製された面光源装置の出射光輝度分布（ＸＺ面内）における比較例５を基準とした場合のピーク輝度比率、輝度半値全幅、目視で確認した品位の評価結果を表７に示した。
【０１２４】
実施例４７
厚さ１２５μｍのポリエステルフィルムの一方の表面にピッチ３０μｍの多数のレンチキュラーレンズ列が略並列して連設され、レンチキュラーレンズ列の表面を平均傾斜角１度に粗面化した最大平均傾斜角度が１０．４度であり、最大傾斜角度／最小傾斜角度が１０．４であるレンズ配列構造を形成し、他方の表面には平均傾斜角度０．７度のマット面を形成した出射光光度分布（ＸＺ面内）の半値全幅が１１．２度の光拡散素子を、レンチキュラーレンズ列が光偏向素子のプリズム列と平行となり、レンズ配列構造面が光偏光素子側に向くように載置した以外は、実施例１と同様にして面光源装置を得た。作製された面光源装置の出射光輝度分布（ＸＺ面内）における比較例５を基準とした場合のピーク輝度比率、輝度半値全幅、目視で確認した品位の評価結果を表７に示した。
【０１２５】
実施例４８
厚さ１２５μｍのポリエステルフィルムの一方の表面に最大平均傾斜角度が８．２度のヘアラインを形成し、他方の表面には平均傾斜角度０．７度のマット面を形成した出射光光度分布（ＸＺ面内）の半値全幅が１０．５度の光拡散素子を、ヘアラインの方向を光偏向素子のプリズム列と略平行となり、ヘアライン形成面が光偏向素子側に向くように載置したとした以外は実施例１と同様にして、面光源装置を得た。作製された面光源装置の出射光輝度分布（ＸＺ面内）における比較例５を基準とした場合のピーク輝度比率、輝度半値全幅、目視で確認した品位の評価結果を表７に示した。
【０１２６】
実施例４９
厚さ１２５μｍのポリエステルフィルムの一方の表面にエッチングにより形成した幅３０μｍ、長さ６０μｍの多数のシリンドリカルレンズが同一方向に離散的に配列した最大平均傾斜角度が６．０度であり、最大傾斜角度／最小傾斜角度が６．０、であるレンズ配列構造を形成し、他方の表面には平均傾斜角度０．７度のマット面を形成した出射光光度分布（ＸＺ面内）の半値全幅が７．０度の光拡散素子を、シリンドリカルレンズの配列方向と光偏向素子のプリズム列が略平行となり、レンズ配列構造面が光偏向素子側に向くように載置したとした以外は実施例１と同様にして、面光源装置を得た。作製された面光源装置の出射光輝度分布（ＸＺ面内）における比較例５を基準とした場合のピーク輝度比率、輝度半値全幅、目視で確認した品位の評価結果を表７に示した。
【０１２７】
【表７】
2004046076.tif 000012
【０１２８】
【発明の効果】
以上説明したように、本発明によれば、光偏向素子の入光面に形成されるプリズム列の少なくとも一方のプリズム面を傾斜角の異なる複数の平面あるいは凸曲面から構成することにより、一次光源から発せられる光を所要の観察方向へ集中して出射させる効率（一次光源の光量の利用効率）のい光源装置を提供することができる。
【図面の簡単な説明】
【図１】本発明による光源装置を示す模式的斜視図である。
【図２】本発明の光偏向素子の入光面のプリズム列の形状の説明図である。
【図３】光偏向素子の第２プリズム面（平面）の各エリアからの出射光輝度分布（ＸＺ面内）を示す説明図である。
【図４】光偏向素子の第２プリズム面（平面）の各エリアからの出射光輝度分布（ＸＺ面内）を示す説明図である。
【図５】光偏向素子の第２プリズム面（平面）の各エリアからの出射光輝度分布（ＸＺ面内）を示す説明図である。
【図６】光偏向素子の第２プリズム面（平面）の各エリアからの出射光輝度分布（ＸＺ面内）を示す説明図である。
【図７】光偏向素子の第２プリズム面（平面）の各エリアからの出射光輝度分布（ＸＺ面内）を示す説明図である。
【図８】光偏向素子の第２プリズム面（平面）の各エリアからの出射光輝度分布（ＸＺ面内）を示す説明図である。
【図９】光偏向素子の第２プリズム面（平面）の各エリアからの出射光輝度分布（ＸＺ面内）を示す説明図である。
【図１０】光偏向素子の第２プリズム面（平面）の各エリアからの出射光輝度分布（ＸＺ面内）を示す説明図である。
【図１１】光偏向素子の第２プリズム面（平面）の各エリアからの出射光輝度分布（ＸＺ面内）を示す説明図である。
【図１２】光偏向素子の第２プリズム面（平面）の各エリアからの出射光輝度分布（ＸＺ面内）を示す説明図である。
【図１３】光偏向素子の第２プリズム面（平面）全体からの出射光輝度分布（ＸＺ面内）を示す説明図である。
【図１４】本発明の光偏向素子の第２プリズム面全体からの出射光輝度分布（ＸＺ面内）を示す説明図である。
【図１５】本発明の光偏向素子の入光面のプリズム列の形状の説明図である。
【図１６】本発明の光偏向素子の入光面のプリズム列の形状の説明図である。
【図１７】本発明の光偏向素子の入光面のプリズム列の形状の説明図である。
【図１８】本発明の光偏向素子の入光面のプリズム列の形状の説明図である。
【図１９】光偏向素子からの各種出射光輝度分布（ＸＺ面内）を示す説明図である。
【図２０】本発明の光偏向素子の入光面のプリズム列の形状の説明図である。
【図２１】出射光光度分布（ＸＺ面内）の半値全幅の説明図である。
【図２２】光源装置の展開長の説明図である。
【図２３】光源装置の展開長の説明図である。
【図２４】本発明の光源装置の光偏向素子からの出射光輝度分布（ＸＺ面内）を示す説明図である。
【図２５】本発明の光源装置の光偏向素子からの出射光輝度分布（ＸＺ面内）を示すグラフである。
【図２６】本発明の光拡散素子の異方拡散性の出射光光度分布（ＸＺ面内）を示す説明図である。
【図２７】本発明の光偏向素子の異方拡散性の説明図である。
【図２８】本発明の異方拡散性を有する光偏向素子の凹凸構造を示す概略図である。
【図２９】本発明の異方拡散性を有する光偏向素子の凹凸構造を示す概略図である。
【図３０】本発明の異方拡散性を有する光偏向素子の凹凸構造を示す概略図である。
【符号の説明】
１　　一次光源
２　　光源リフレクタ
３　　導光体
４　　光偏向素子
５　　光反射素子
６　　光拡散素子
３１　　光入射面
３２　　端面
３３　　光出射面
３４　　裏面
４１　　入光面
４２　　出光面
【図１】
2004046076.tif 000013
【図２】
2004046076.tif 000014
【図３】
2004046076.tif 000015
【図４】
2004046076.tif 000016
【図５】
2004046076.tif 000017
【図６】
2004046076.tif 000018
【図７】
2004046076.tif 000019
【図８】
2004046076.tif 000020
【図９】
2004046076.tif 000021
【図１０】
2004046076.tif 000022
【図１１】
2004046076.tif 000023
【図１２】
2004046076.tif 000024
【図１３】
2004046076.tif 000025
【図１４】
2004046076.tif 000026
【図１５】
2004046076.tif 000027
【図１６】
2004046076.tif 000028
【図１７】
2004046076.tif 000029
【図１８】
2004046076.tif 000030
【図１９】
2004046076.tif 000031
【図２０】
2004046076.tif 000032
【図２１】
2004046076.tif 000033
【図２２】
2004046076.tif 000034
【図２３】
2004046076.tif 000035
【図２４】
2004046076.tif 000036
【図２５】
2004046076.tif 000037
【図２６】
2004046076.tif 000038
【図２７】
2004046076.tif 000039
【図２８】
2004046076.tif 000040
【図２９】
2004046076.tif 000041
【図３０】
2004046076.tif 000042